(57)【特許請求の範囲】
【請求項１】
ユーザの通信端末および写真シール作成装置と通信ネットワークを介して接続し、該通信端末で表示できるデータを提供する管理装置であって、
上記写真シール作成装置で生成された複数の画像を有するアルバムに含まれる所定枚数の画像である代表画像であって、上記写真シール作成装置における複数プレイで生成された複数の代表画像を、複数のサムネイル画像として掲載したページを作成するページ作成手段と、
上記ページ作成手段が作成したページを上記通信端末に送信する送信手段と、を備えており、
上記ページ作成手段は、上記複数のサムネイル画像を異なる大きさで上記ページに掲載することを特徴とする管理装置。
【請求項２】
上記代表画像は、ユーザによって選択されたものであることを特徴とする請求項１に記載の管理装置。
【請求項３】
上記ページ作成手段は、上記複数のサムネイル画像のうち、上記ページでの表示順序が第１番目の画像であるサムネイル画像を他のサムネイル画像に比べて大きく掲載することを特徴とする請求項１または２に記載の管理装置。
【請求項４】
上記ページ作成手段は、上記サムネイル画像の枚数に応じて、各サムネイル画像の掲載位置を変更することを特徴とする請求項１から３の何れか１項に記載の管理装置。
【請求項５】
上記ページ作成手段は、上記サムネイル画像の形状に応じて、各サムネイル画像の掲載位置を変更することを特徴とする請求項１から４の何れか１項に記載の管理装置。
【請求項６】
上記ページでの表示順序は、撮影日時又は保存日時に基づくことを特徴とする請求項１から５の何れか１項に記載の管理装置。
【請求項７】
上記ページ作成手段は、上記ページに、上記ユーザが所有するアルバムと、上記ユーザと異なる他のユーザが所有するアルバムであって、当該他のユーザが公開しているアルバ
ムと、のそれぞれに含まれる代表画像を前記複数のサムネイル画像として掲載することを特徴とする請求項１から６の何れか１項に記載の管理装置。
【請求項８】
上記通信端末から上記ユーザの操作指示を受信する受信手段と、
上記ページでの画像の表示順序を設定する設定手段と、をさらに備え、
上記設定手段が設定した表示順序と、上記ページにおけるサムネイル画像の掲載位置とが予め対応付けられており、
上記受信手段が、上記ページに掲載されているサムネイル画像の掲載位置を変更する操作指示を受信すると、上記設定手段は、掲載位置を変更されたサムネイル画像の表示順序を、変更後の掲載位置に対応する表示順序に設定することを特徴とする請求項１から７の何れか１項に記載の管理装置。
【請求項９】
ユーザの通信端末および写真シール作成装置と通信ネットワークを介して接続し、該通信端末で表示できるデータを提供する管理装置の制御方法であって、
上記写真シール作成装置で生成された複数の画像を有するアルバムに含まれる所定枚数の画像である代表画像であって、上記写真シール作成装置における複数プレイで生成された複数の代表画像を、複数のサムネイル画像として掲載したページを作成するページ作成ステップと、
上記ページ作成ステップにおいて作成されたページを上記通信端末に送信する送信ステップと、を含み、
上記ページ作成ステップにおいて、上記複数のサムネイル画像を異なる大きさで上記ページに掲載することを特徴とする管理装置の制御方法。
【請求項１０】
写真シール作成装置で生成された画像を管理する管理装置と通信ネットワークを介して接続し、該管理装置からデータを受信する通信端末であって、
上記写真シール作成装置で生成された複数の画像を有するアルバムに含まれる所定枚数の画像である代表画像であって、上記写真シール作成装置における複数プレイで生成された複数の代表画像を、複数のサムネイル画像として掲載したページを作成するページ作成手段と、
上記ページ作成手段が作成したページを表示部に表示する表示制御手段と、を備えており、
上記ページ作成手段は、上記複数のサムネイル画像を異なる大きさで上記ページに掲載することを特徴とする通信端末。
【請求項１１】
請求項１０に記載の通信端末としてコンピュータを機能させるための制御プログラムであって、コンピュータを上記各手段として機能させるための制御プログラム。
【請求項１２】
請求項１１に記載の制御プログラムを記録したコンピュータ読み取り可能な記録媒体。
【発明の詳細な説明】
【技術分野】
【０００１】
本発明は、写真シール作成装置で生成された画像を管理するための管理装置および管理装置の制御方法、並びに、写真シール作成装置で生成された画像を表示する通信端末、該通信端末の制御プログラムおよび該制御プログラムを記録したコンピュータ読み取り可能な記録媒体に関する。
【背景技術】
【０００２】
近年の写真シール作成装置は、撮影した画像を画像処理して見栄えの良い画像を生成する機能、および、生成した画像を管理サーバに送信する機能等を有したものが多い。これらの機能を利用して、ユーザに様々なサービスを提供することができる。例えば、特許文献１には、写真シール作成装置で生成された画像をユーザの携帯端末に表示させる際に、当該画像の属性（例えば、機種、画角（アップ、全身）、写りコース等）ごとにタブ表示し、画像を分類してユーザに提示する技術が記載されている。
【０００３】
また、写真シール作成装置で生成された画像ではないが、特許文献２には、携帯端末等で撮影された画像をアルバム単位で管理し、人物ごとにアルバムを生成する技術が記載されている。さらに、特許文献３には、画像を友達などの他人に公開する技術が記載されている。
【先行技術文献】
【特許文献】
【０００４】
【特許文献１】特開２０１３−００８２４５号公報（２０１３年１月１０日公開）
【特許文献２】特開２０１３−０２５８０４号公報（２０１３年２月４日公開）
【特許文献３】特開２００９−２６５８８５号公報（２００９年１１月１２日公開）
【発明の概要】
【発明が解決しようとする課題】
【０００５】
しかしながら、上述のような従来技術では、同一サイズに拡縮した画像を単に並べて一覧表示するものでしかなく、ユーザの趣向性に乏しく、目を引き付けるようなページではないという問題がある。
【０００６】
本発明は、上記の問題点に鑑みてなされたものであり、その目的は、ユーザの趣向性に富むページを作成する管理装置および管理装置の制御方法、並びに、該ページを表示する通信端末、制御プログラムおよび記録媒体を実現することにある。
【課題を解決するための手段】
【０００７】
上記の課題を解決するために、本発明に係る管理装置は、ユーザの通信端末および写真シール作成装置と通信ネットワークを介して接続し、該通信端末で表示できるデータを提供する管理装置であって、上記写真シール作成装置で生成された複数の画像を有するアルバム毎に、当該アルバムが有する画像のうちの所定枚数の画像である代表画像を掲載したページを作成するページ作成手段と、上記ページ作成手段が作成したページを上記通信端末に送信する送信手段と、を備えており、上記ページ作成手段は、上記アルバム内において上記複数の代表画像を異なる大きさで上記ページに掲載することを特徴としている。
【０００８】
また、上記の課題を解決するために、本発明に係る管理装置の制御方法は、ユーザの通信端末および写真シール作成装置と通信ネットワークを介して接続し、該通信端末で表示できるデータを提供する管理装置の制御方法であって、上記写真シール作成装置で生成された複数の画像を有するアルバム毎に、当該アルバムが有する画像のうちの所定枚数の画像である代表画像を掲載したページを作成するページ作成ステップと、上記ページ作成ステップにおいて作成されたページを上記通信端末に送信する送信ステップと、を含み、上記ページ作成ステップにおいて、上記アルバム内において上記複数の代表画像を異なる大きさで上記ページに掲載することを特徴としている。
【０００９】
上記の構成によれば、上記ページ作成手段は、上記アルバム内の複数の代表画像のうち、或る代表画像を他の代表画像に比べて大きく掲載する。そのため、上記ページ作成手段は、上記或る代表画像を上記他の代表画像に比べて強調することができる。よって、上記管理装置は、上記ページを閲覧するユーザの目を引き付けることができる。したがって、上記管理装置は、ユーザの趣向性に富むページを提供することができるという効果を奏する。
【００１０】
また、本発明に係る管理装置において、上記ページ作成手段は、上記アルバム内の表示順序が第１番目の画像である代表画像を他の代表画像に比べて大きく掲載することが好ましい。
【００１１】
上記構成によれば、上記ページ作成手段は、上記アルバム内の表示順序が第１番目の画像である代表画像を上記他の代表画像に比べて強調することができる。
【００１２】
また、本発明に係る管理装置において、上記ページ作成手段は、上記アルバム内における上記代表画像の枚数に応じて、各代表画像の掲載位置を変更することが好ましい。
【００１３】
上記構成によれば、上記ページ作成手段は、上記アルバムにおける代表画像の枚数に応じて、最適な位置に代表画像を掲載することができる。
【００１４】
また、本発明に係る管理装置において、上記ページ作成手段は、上記アルバム内における代表画像の形状に応じて、各代表画像の掲載位置を変更することが好ましい。
【００１５】
上記構成によれば、上記ページ作成手段は、上記アルバム内における代表画像の形状に応じて、最適な位置に代表画像を掲載することができる。
【００１６】
また、本発明に係る管理装置において、上記第１番目の画像は、上記アルバム内の最新の画像であることが好ましい。
【００１７】
上記構成によれば、上記ページ作成手段は、上記アルバム内の最新の画像を他の画像に比べて強調することができる。
【００１８】
また、本発明に係る管理装置において、上記ページ作成手段は、上記ページに、上記ユーザが所有するアルバムと、上記ユーザと異なる他のユーザが所有するアルバムであって、当該他のユーザが公開しているアルバムと、を掲載することが好ましい。
【００１９】
上記構成によれば、上記ページ作成手段は、ユーザ自身が所有するアルバムと、他のユーザが公開しているアルバムとを上記ページに掲載する。そのため、ユーザは、上記ページにおいて、自身のアルバムと、他のユーザが公開しているアルバムを一緒に閲覧することができる。
【００２０】
また、本発明に係る管理装置において、上記通信端末から上記ユーザの操作指示を受信する受信手段と、上記アルバム内の画像の表示順序を設定する設定手段と、をさらに備え、上記設定手段が設定した表示順序と、上記ページにおける代表画像の掲載位置とが予め対応付けられており、上記受信手段が、上記ページに掲載されている代表画像の掲載位置を変更する操作指示を受信すると、上記設定手段は、掲載位置を変更された代表画像の表示順序を、変更後の掲載位置に対応する表示順序に設定することが好ましい。
【００２１】
上記構成によれば、上記設定手段は、上記ページにおける代表画像の掲載位置が変更されると、掲載位置を変更された代表画像の表示順序を、変更後の掲載位置に対応する表示順序に設定する。そのため、ユーザは、上記ページにおいて、代表画像の掲載位置を変更することにより、アルバム内における当該代表画像の表示順序を変更することができる。
【００２２】
また、上記の課題を解決するために、本発明に係る通信端末は、写真シール作成装置で生成された画像を管理する管理装置と通信ネットワークを介して接続し、該管理装置からデータを受信する通信端末であって、上記写真シール作成装置で生成された複数の画像を有するアルバム毎に、当該アルバムが有する画像のうちの所定枚数の画像である代表画像を掲載したページを作成するページ作成手段と、上記ページ作成手段が作成したページを表示部に表示する表示制御手段と、を備えており、上記ページ作成手段は、上記アルバム内において上記複数の代表画像を異なる大きさで上記ページに掲載することを特徴としている。
【００２３】
上記の構成によれば、上記表示制御手段は、上記アルバム内の複数の代表画像のうち、或る代表画像を他の代表画像に比べて大きく表示する。そのため、上記表示制御手段は、上記或る代表画像を上記他の代表画像に比べて強調して表示することができる。よって、上記通信端末は、上記ページを閲覧するユーザの目を引き付けることができる。したがって、上記通信端末は、ユーザの趣向性に富むページを表示することができるという効果を奏する。
【００２４】
本発明の各態様に係る通信端末は、コンピュータによって実現してもよく、この場合には、コンピュータを上記通信端末が備える各手段として動作させることによって上記通信端末をコンピュータにて実現させる通信端末の制御プログラム、およびそれを記録したコンピュータ読み取り可能な記録媒体も、本発明の範疇に入る。
【発明の効果】
【００２５】
本発明は、ユーザの趣向性に富むページを提供することができ、ユーザのゲーム性を向上することができるという効果を奏する。
【図面の簡単な説明】
【００２６】
【図１】本発明の第１実施形態に係る管理サーバの要部構成を示すブロック図である。
【図２】本発明の第１実施形態に係る画像管理システムの構成を示す図である。
【図３】本発明の第１実施形態に係る写真シール作成装置の外観の構成例を示す斜視図である。
【図４】本発明の第１実施形態に係る写真シール作成装置の外観を他の角度からみた斜視図である。
【図５】本発明の第１実施形態におけるユーザの移動について説明する図である。
【図６】本発明の第１実施形態に係る写真シール作成装置に備えられる撮影部の構成例を示す図である。
【図７】本発明の第１実施形態に係る写真シール作成装置に備えられる背景部の構成例を示す図である。
【図８】本発明の第１実施形態に係る写真シール作成装置に備えられる編集部の構成例を示す図である。
【図９】本発明の第１実施形態に係る写真シール作成装置に備えられる事後接客部の構成例を示す図である。
【図１０】本発明の第１実施形態に係る写真シール作成装置の内部の構成例を示すブロック図である。
【図１１】本発明の第１実施形態に係る写真シール作成装置に備えられる制御部の詳細な構成例を示す機能ブロック図である。
【図１２】本発明の第１実施形態に係る携帯端末の要部構成を示すブロック図である。
【図１３】本発明の第１実施形態における会員登録処理時に携帯端末の表示部に表示されるウェブページの一例を示す画面遷移図である。
【図１４】本発明の第１実施形態における写真撮影からマイページ表示までの一連の処理の流れの一例を示すシーケンス図である。
【図１５】本発明の第１実施形態における管理サーバへの画像保存処理時に携帯端末の表示部に表示されるウェブページの一例を示す画面遷移図である。
【図１６】本発明の第１実施形態における携帯端末の表示部に表示されるマイページ等の一例を示す図である。
【図１７】本発明の第１実施形態における携帯端末の表示部に表示されるアルバム作成ページ等の一例を示す図である。
【図１８】本発明の第１実施形態における携帯端末の表示部に表示されるタイムラインページ等の一例を示す図である。
【図１９】本発明の第１実施形態における管理サーバが作成するタイムラインページにおける画像の配置パターンの一例を示す図である。
【図２０】本発明の第１実施形態における管理サーバの会員データベースに保存されているユーザ管理情報の一例を示す図である。
【図２１】本発明の第１実施形態における管理サーバの画像保存データベースに保存されている画像管理情報の一例を示す図である。
【図２２】本発明の第１実施形態における管理サーバの画像保存データベースに保存されているアルバム管理情報の一例を示す図である。
【図２３】本発明の第１実施形態における管理サーバが実行するタイムラインページ作成処理の一例を示すフローチャートである。
【図２４】（ａ）は本発明の第２実施形態に係るタイムラインページを示す図である。（ｂ）〜（ｄ）は本発明の第２実施形態に係る画像詳細ページを示す図である。
【図２５】本発明の第２実施形態に係るマイページを示す図である。
【図２６】生成画像の投稿に係る画面遷移の一例を示す図である。
【図２７】本発明の第２実施形態に係る投稿編集ページを示す図である。
【図２８】上記投稿編集ページにて行われる、サムネイルの表示範囲の調整を示す図である。
【図２９】上記タイムラインページにおける表示様式の変形例を示す図である。
【図３０】１枚のサムネイルの表示領域に対する、サムネイルの位置合わせの例を示す図である。
【図３１】上記タイムラインページにおける表示様式の変形例を示す図である。
【図３２】本発明の第２実施形態に係るマイページの変形例を示す図である。
【発明を実施するための形態】
【００２７】
〔実施形態１〕
本発明の第１実施形態について、図１〜図１７を参照して以下に説明する。以下の特定の実施形態で説明する構成以外の構成については、必要に応じて説明を省略する場合があるが、他の実施形態で説明されている場合は、その構成と同じである。また、説明の便宜上、各実施形態に示した部材と同一の機能を有する部材については、同一の符号を付し、適宜その説明を省略する。さらに、各図面に記載した構成の形状、ならびに、長さ、奥行および幅などの寸法は、実際の形状および寸法を反映させたものではなく、図面の明瞭化と簡略化のために適宜変更している。
【００２８】
（画像管理システム１０）
図２は、本発明の第１実施形態に係る画像管理システム１０の構成を示す図である。図２に示すように、画像管理システム１０は、写真シール作成装置１、携帯端末（通信端末）６、および管理サーバ（管理装置）４を備えている。
【００２９】
画像管理システム１０の概要について、以下に説明する。画像管理システム１０は、ユーザの写真撮影、画像の編集、画像の写真シールとしての印刷、画像提供サイトへの画像の保存、および、保存された画像の閲覧を実現するサービスをユーザに提供する。画像提供サイトは、ユーザが自身の画像および他のユーザの画像を閲覧するためのサイトである。また、画像提供サイトは、ＳＮＳ（Social Networking Service）機能を有し、サイト上でのユーザのコミュニケーションを可能にする。
【００３０】
写真シール作成装置１は、写真撮影、画像編集、および写真シール印刷のサービスを提供するものである。写真シール作成装置１は、ゲームセンターなどの店舗に設置される。以下では、写真シール作成装置１が撮影した撮影画像および当該撮影画像を編集した編集画像等、写真シール作成装置１が生成した画像を生成画像と称する。すなわち、写真シール作成装置１は、生成画像を生成する画像生成装置である。
【００３１】
また、写真シール作成装置１は、ネットワークを介して管理サーバ４と接続しており、生成した生成画像を管理サーバ４に送信することができる。
【００３２】
管理サーバ４は、写真シール作成装置１が生成した生成画像を管理するものであり、上述の画像保存および画像閲覧のサービスを提供する。具体的には、管理サーバ４は、ユーザに生成画像を保存および閲覧させるための画像提供サイトを管理する。
【００３３】
携帯端末６は、ユーザが所持する通信端末である。携帯端末６は、例えば、携帯電話機、スマートフォン、タブレット端末等である。携帯端末６は、無線通信手段または有線通信手段により写真シール作成装置１と通信することができる。また、携帯端末６は、ネットワークを介して管理サーバ４と通信して、画像提供サイトにアクセスすることができる。すなわち、ユーザは、自身が所持する携帯端末６を操作することによって、写真シール作成装置１によって生成された自身の生成画像を画像提供サイトに保存したり、画像提供サイトに保存された生成画像を閲覧したりすることができる。
【００３４】
なお、ユーザは、携帯端末６と異なる通信端末（例えば、デスクトップ型またはノートブック型のＰＣ等）を用いて、画像提供サイトにアクセスすることもできる。
【００３５】
画像提供サイトへの生成画像の保存には、事前の会員登録が必要である。ユーザは、無料会員として自身を画像提供サイトに登録する。無料会員は、会費を支払う必要がないが、画像提供サイトは保存できる生成画像の枚数に制限を受ける。本実施形態では、無料会員は、１回のゲーム（１プレイ）ごとに１枚の生成画像のみを画像提供サイトに保存できる。
【００３６】
ユーザは、自身の会員属性を、無料会員から有料会員に変更することができる。有料会員は、一定の会費を継続的に支払う必要がある代わりに、画像提供サイトに無制限に生成画像を保存できる。本実施形態では、１プレイで生成された生成画像を全て画像提供サイトに保存できる。
【００３７】
なお、有料会員の制度として、一定の会費を継続的に支払うことにより、無制限に生成画像を保存可能な制度ではなく、画像提供サイトに保存した生成画像の枚数に応じて課金する制度を採用してもよい。
【００３８】
画像管理システム１０における写真撮影から画像保存までの流れについて、以下に簡潔に説明する。１人または複数人のユーザは、代金を写真シール作成装置１に支払い、写真撮影および画像編集に関するゲームをプレイする。ユーザはゲーム中に自身を被写体として撮影する。ユーザは、撮影によって生成された撮影画像の中から、編集対象の画像をいくつか選択し、好きなように編集する。また、ユーザは、後で生成画像を画像提供サイトに保存するために、写真シール作成装置１に自身の連絡先（例えばメールアドレス）を入力する。以降は、ユーザが写真シール作成装置１にメールアドレスを入力したこととして説明を行う。しかしながら、メールアドレスは上記連絡先の単なる一例であって、上記連絡先はメールアドレスのみに限定されない。例えば上記連絡先は、例えばメッセージ機能、伝言板機能、またはコメント機能などを有するシステム（メッセージシステム）におけるユーザのアカウントＩＤ等であってもよい。
【００３９】
ゲームの終了後、ユーザは写真シールを手に入れる。一方、写真シール作成装置１は、生成した生成画像に、入力されたユーザのメールアドレスを関連付けて、管理サーバ４に送信する。管理サーバ４は、受信したメールアドレス宛に、受信した生成画像を画像提供サイトに保存することを案内するメールを送信する。ユーザは、自身の携帯端末６においてこのメールを受信する。メールには、生成画像を画像提供サイトに保存するための手順が、記載されている。ユーザは、その手順に従い、生成画像を保存するための操作を携帯端末６に対して行う。この結果、画像提供サイトにおけるユーザ専用の画像記憶領域に、生成画像が保存される。
【００４０】
画像提供サイトへの画像保存後、ユーザは、携帯端末６または所望の他の装置を用いて画像提供サイトにログインして、生成画像を閲覧したり、生成画像を携帯端末６または所望の他の装置にダウンロードしたりすることができる。
【００４１】
（写真シール作成装置の構成）
画像管理システム１０を構成する各装置の構成および機能について、以下に詳細に説明する。まず、写真シール作成装置１の詳細について、図３〜図１１を参照して説明する。図３は、本発明の第１実施形態に係る写真シール作成装置１の外観の構成例を示す斜視図である。この図に示すように、写真シール作成装置１は、主に、撮影ユニット１１、編集部１２、および事後接客部１３を備えている。写真シール作成装置１は、撮影ユニット１１と編集部１２とが接し、かつ、編集部１２と事後接客部１３とが接した状態で設置される。
【００４２】
（撮影ユニット１１）
撮影ユニット１１は、撮影部２１および背景部２２を備えている。撮影部２１と背景部２２とは、所定の距離だけ離れて設置される。撮影部２１と背景部２２の間に形成される空間である撮影空間において、撮影制御が行われる。
【００４３】
撮影部２１は、撮影制御をユーザに行わせる装置である。撮影部２１は、撮影空間に入り、撮影制御を行っているユーザの正面に位置する。撮影空間を正面に望む面を構成する撮影部２１の正面パネル４１には、撮影制御時にユーザによって用いられるタッチパネルモニタなどが設けられる。撮影空間にいるユーザから見て左側の面を左側面、右側の面を右側面とすると、撮影部２１の左側面が側面パネル４２Ａによって構成され、右側面が側面パネル４２Ｂによって構成される。
【００４４】
背景部２２は、正面を向いて撮影制御を行っているユーザの背面側に位置する板状の部材である背面パネル５１、背面パネル５１の左端に取り付けられ、側面パネル４２Ａより横幅の狭い板状の部材である側面パネル５２Ａ、および、背面パネル５１の右端に取り付けられ、側面パネル４２Ｂより横幅の狭い板状の部材である側面パネル５２Ｂ（図４）から構成される。
【００４５】
撮影部２１の左側面を構成する側面パネル４２Ａと背景部２２の側面パネル５２Ａは、ほぼ同一平面に設けられ、それぞれの上部が板状の部材である連結部２３Ａによって連結される。また、撮影部２１の右側面を構成する側面パネル４２Ｂと背景部２２の側面パネル５２Ｂは、ほぼ同一平面に設けられ、それぞれの上部が板状の部材である連結部２３Ｂによって連結される。
【００４６】
撮影部２１の側面パネル４２Ａ、連結部２３Ａ、および背景部２２の側面パネル５２Ａに囲まれることによって形成される開口が撮影空間の出入り口Ｇ１となる。撮影部２１の側面パネル４２Ｂ、連結部２３Ｂ、および背景部２２の側面パネル５２Ｂに囲まれることによって形成される開口も撮影空間の出入り口Ｇ２となる。
【００４７】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用する巻き取り式の背景カーテンが複数収納される。背景カーテンユニット２５は、撮影部２１に設けられたカメラ等による撮影と連動して動作し、撮影の際に、例えばユーザによって選択された色のカーテンを下ろし、その他のカーテンを巻き取る。
【００４８】
背景カーテンユニット２５に収納される背景カーテンとしては、複数枚のカーテンを１枚のクロマキ用のカーテンとして使用する昇降式カーテンを用意してもよい。また、クロマキ用のカーテンを予め撮影空間の背面となる背面パネル５１に張り付けると共に、合成用の背景画像を複数種類用意し、後述する編集制御において、ユーザが所望する背景画像をカーテンの部分に合成することができるようにしてもよい。
【００４９】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００５０】
（編集部１２）
編集部１２は、撮影制御によって得られた撮影画像を編集する処理である編集制御をユーザに行わせる装置である。編集部１２は、一方の側面が撮影部２１の正面パネル４１の背面に接するように撮影ユニット１１に連結して設けられる。編集部１２には、編集制御時にユーザによって用いられるタブレット内蔵モニタなどの構成が設けられる。
【００５１】
図３に示す編集部１２の構成を正面側の構成とすると、２組のユーザが同時に編集することができるように、編集部１２の正面側と背面側には編集制御に用いられる構成がそれぞれ設けられる。
【００５２】
編集部１２の正面側は、床面に対して垂直な面であり、側面パネル４２Ａとほぼ平行な面である面７１と、面７１の上方に形成された斜面７２から構成され、編集制御に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂ（図４）が設けられる。
【００５３】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００５４】
カーテンレール２６には、編集部１２の正面前方の空間と背面前方の空間の内部が外から見えないようにカーテンが取り付けられる。カーテンレール２６に取り付けられたカーテンによって囲まれる編集部１２の正面前方の空間と背面前方の空間が、ユーザが編集制御を行う編集空間となる。
【００５５】
（事後接客部１３）
図４は、写真シール作成装置の外観を他の角度からみた斜視図である。事後接客部１３は事後接客を行い、ユーザに事後接客に対する操作を行わせる装置である。事後接客には、生成画像を管理サーバ４に送信する処理、ミニゲームをユーザに行わせる処理、アンケートに答えさせる処理などが含まれる。
【００５６】
図４に示すように、事後接客部１３は、所定の厚さを有する板状の筐体を有しており、その背面が編集部１２の左側面に接するように編集部１２に連結して設けられる。事後接客部１３の正面には、事後接客に対する操作時にユーザによって用いられるタブレット内蔵モニタ、および、生成画像が印刷されたシール紙が排出される排出口などが設けられる。事後接客部１３の正面前方の空間が、シール紙への印刷が終わるのを待っているユーザが事後接客に対する操作を行う事後接客空間となる。
【００５７】
（ユーザの移動）
写真シール作成ゲームの流れと、それに伴うユーザの移動について図５を参照して説明する。図５は、ユーザの移動について説明する図である。
【００５８】
写真シール作成装置１のユーザは、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラおよびタッチパネルモニタなどを利用して撮影制御を行う。
【００５９】
なお、ユーザの画像の撮影においては、すべての撮影がシール紙に印刷される画像を撮影するものとは限らず、携帯端末６に送信するため（又は、携帯端末６において閲覧可能なように、管理サーバ４に送信するため）にのみ撮影される場合もある。これは、印刷される画像と携帯端末６に送信される画像との間でユーザの嗜好が異なることがあるためであり、ユーザの撮影時において、携帯端末６への送信を意識した撮影をしたいユーザの意向にこたえるものである。
【００６０】
撮影制御を終えたユーザは、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００６１】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動したユーザは編集制御を開始する。編集空間Ａ２−１のユーザと、編集空間Ａ２−２のユーザは同時に編集制御を行うことができる。
【００６２】
編集制御が終了した後、生成画像の中から選択された画像の印刷が開始される。画像の印刷中、編集制御を終えたユーザは、編集空間Ａ２−１で編集制御を行っていた場合には白抜き矢印＃５で示すように編集空間Ａ２−１から事後接客空間Ａ３に移動して事後接客を受け、当該事後接客に対する操作を行う。また、編集制御を終えたユーザは、編集空間Ａ２−２で編集制御を行っていた場合には白抜き矢印＃６で示すように編集空間Ａ２−２から事後接客空間Ａ３に移動し、事後接客空間Ａ３において事後接客を受け、当該事後接客に対する操作を行う。
【００６３】
画像の印刷が終了したとき、ユーザは、事後接客部１３に設けられた排出口からシール紙を受け取り、一連の写真シール作成ゲームを終えることになる。
【００６４】
（各部材の構成）
次に、写真シール作成装置１に備えられる各部材の構成について説明する。
【００６５】
（撮影部２１）
図６は、写真シール作成装置１に備えられる撮影部２１の構成例を示す図である。撮影部２１は、正面パネル４１、側面パネル４２Ａ、および側面パネル４２Ｂが、箱状の形状を有するベース部４３に取り付けられることによって構成される。
【００６６】
正面パネル４１は撮影空間Ａ１で撮影制御を行うユーザの正面に位置し、側面パネル４２Ａと側面パネル４２Ｂは、それぞれ、撮影空間Ａ１で撮影制御を行うユーザの左側、右側に位置する。側面パネル４２Ａの上方には連結部２３Ａが固定され、側面パネル４２Ｂの上方には連結部２３Ｂが固定される。
【００６７】
正面パネル４１のほぼ中央には撮影・表示ユニット８１が設けられる。撮影・表示ユニット８１は、カメラ９１、正面ストロボ９２、およびタッチパネルモニタ９３から構成される。
【００６８】
カメラ９１は、ＣＣＤ（Charge Coupled Device）またはＣＭＯＳ（complementary metal-oxide semiconductor）などの撮像素子によって構成され、撮影空間Ａ１にいるユーザを撮影する。カメラ９１によって取り込まれた動画像は、タッチパネルモニタ９３にリアルタイムで表示される。ユーザによって撮影が指示されたときなどの所定のタイミングでカメラ９１によって取り込まれた画像は画像（静止画像）として保存される。
【００６９】
カメラ９１の下側に設けられたタッチパネルモニタ９３は、ＬＣＤ（Liquid Crystal Display）などのモニタと、それに積層されたタッチパネルによって構成される。タッチパネルモニタ９３は、カメラ９１によって取り込まれた動画像を表示するライブビューモニタとしての機能と、各種のＧＵＩ（Graphical User Interface）画像を表示し、ユーザの選択操作をタッチパネルによって受け付ける機能とを備えている。タッチパネルモニタ９３には、適宜、背景等の画像が合成された後の動画像が表示される。
【００７０】
正面パネル４１には、撮影・表示ユニット８１の位置を基準として、上方に上ストロボ８２が設置される。また、左方に左ストロボ８３が設置され、右方に右ストロボ８４が設置される。撮影・表示ユニット８１の下方の位置には、ベース部４３の上面が一部突出する形で下ストロボ８５が設けられる。
【００７１】
上ストロボ８２は、ユーザを上前方から照射する。左ストロボ８３は、ユーザを左前方から照射し、右ストロボ８４は、ユーザを右前方から照射する。下ストロボ８５は、ユーザを下前方から照射する。
【００７２】
ベース部４３にはユーザの足元を照射する足元ストロボ８６も設けられる。上ストロボ８２、左ストロボ８３、右ストロボ８４、下ストロボ８５、および足元ストロボ８６の内部には蛍光灯が設けられており、天井ストロボユニット２４を構成するストロボの内部の蛍光灯と合わせて、撮影空間Ａ１内の照明として用いられる。後述するように、各蛍光灯の発光量を調整することによって、または、発光させる蛍光灯の数を調整することによって、撮影空間Ａ１内の明るさが、ユーザが行っている撮影制御の内容に応じて適宜調整される。
【００７３】
足元ストロボ８６の右側には、ユーザがお金を投入する硬貨投入返却口８７が設けられる。
【００７４】
下ストロボ８５を挟んでベース部４３の上面の左右に形成されるスペース４３Ａおよび４３Ｂは、撮影制御を行うユーザが手荷物等を置くための荷物置場として用いられる。正面パネル４１の例えば天井付近には、撮影制御の案内音声、ＢＧＭ（Back Ground Music）、効果音等の音を出力するスピーカも設けられる。
【００７５】
（背景部２２）
図７は、写真シール作成装置１に備えられる背景部２２の構成例を示す図である。上述したように、背面パネル５１の上方には背景カーテンユニット２５が設けられる。背景カーテンユニット２５のほぼ中央には、撮影空間Ａ１内で撮影制御を行っているユーザを後方中央から照射する背面中央ストロボ１０１が取り付けられる。
【００７６】
背面パネル５１の上方であって、出入り口Ｇ１側の位置には、撮影空間Ａ１内で撮影制御を行っているユーザを左後方から照射する背面左ストロボ１０２が取り付けられる。また、背面パネル５１の上方であって、出入り口Ｇ２側の位置には、撮影空間Ａ１内で撮影制御を行っているユーザを右後方から照射する背面右ストロボ１０３が取り付けられる。
【００７７】
（編集部１２）
図８は、写真シール作成装置１に備えられる編集部１２の構成例を示す図である。この図に示すように、編集部１２において、斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００７８】
タブレット内蔵モニタ１３１は、タッチペン１３２Ａ及び１３２Ｂを用いて操作入力が可能なタブレットがＬＣＤなどのモニタに重畳して設けられることによって構成される。タブレット内蔵モニタ１３１には、例えば、編集対象画像として選択された画像の編集に用いられる画面である編集画面が表示される。２人で同時に編集作業を行う場合、タッチペン１３２Ａは一方のユーザによって用いられ、タッチペン１３２Ｂは他方のユーザによって用いられる。
【００７９】
ここで、ユーザは、編集画面上で、落書きをする感覚で編集をする。編集の種類は、タッチペンで種々の線種および色の落書きをおこなうペン入力、ハートもしくは花びら等の種々の形状または種々のメッセージのスタンプ入力、並びに、背景などに模様を入れる背景操作、名前を入力してスタンプ入力する名前スタンプ機能がある。さらに、化粧のシミュレーションをするコスメ機能、目および顔輪郭などの大きさ形状を微調整する顔微調整機能、並びに、記念日や日付を入れる日付スタンプなどの機能等がある。
【００８０】
なお、編集部１２において行われる画像の編集は、すべてが印刷される画像に対する編集であるとは限らず、ユーザが携帯端末６への送信のみを想定している画像（つまり、印刷されない画像）に対する編集である場合もある。これは、印刷される画像と携帯端末６へ送信されてｗｅｂ上で利用される画像との間で、ユーザの嗜好に違いがあり、例えばブログなどに利用する画像などに対して、印刷される画像に対する編集とは異なる編集をしたいというユーザの意向にこたえるためのものである。
【００８１】
（事後接客部１３）
編集部１２の左側には事後接客部１３が設けられる。図９は、写真シール作成装置１に備えられる事後接客部１３の構成例を示す図である。
【００８２】
事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがＬＣＤなどのモニタに重畳して設けられることによって構成される。タブレット内蔵モニタ１６１には、ミニゲームなどの事後接客の工程において用いられる画面が表示される。
【００８３】
タブレット内蔵モニタ１６１の下には非接触型ＩＣリーダ／ライタ１６３が設けられ、非接触型ＩＣリーダ／ライタ１６３の下にはシール紙排出口１６４が設けられる。シール紙排出口１６４の下にはスピーカ１６５が設けられる。
【００８４】
非接触型ＩＣリーダ／ライタ１６３は、近接された非接触型ＩＣと通信を行い、非接触型ＩＣからのデータの読み出しおよび非接触型ＩＣに対するデータの書き込みを行う。
【００８５】
シール紙排出口１６４には、編集空間Ａ２−１のユーザが編集制御を行うことによって作成した画像が印刷されたシール紙、または、編集空間Ａ２−２のユーザが編集制御を行うことによって作成した画像が印刷されたシール紙が排出される。編集部１２の内部にはプリンタが設けられており、画像の印刷がそのプリンタによって行われる。
【００８６】
スピーカ１６５は、事後接客時の案内音声、ＢＧＭ、効果音等の音を出力する。
【００８７】
（写真シール作成装置１の内部構成）
次に、写真シール作成装置１の内部構成について説明する。図１０は、写真シール作成装置１の内部の構成例を示すブロック図である。上述した構成と同じ構成には同じ符号を付す。重複する説明については適宜省略する。
【００８８】
制御部２０１は、ＣＰＵ（Central Processing Unit）などから構成され、ＲＯＭ（Read Only Memory）２０６または記憶部２０２に記憶されているプログラムを実行し、写真シール作成装置１の全体の動作を制御する。制御部２０１には、記憶部２０２、通信部２０３、ドライブ２０４、ＲＯＭ２０６、ＲＡＭ（Random Access Memory）２０７が接続される。制御部２０１には、撮影部２１、編集部１２、事後接客部１３、および印刷部２１１の各構成も接続される。
【００８９】
記憶部２０２は、ハードディスクまたはフラッシュメモリなどの不揮発性の記憶媒体からなり、制御部２０１から供給された各種の設定情報を記憶する。記憶部２０２に記憶されている情報は制御部２０１によって適宜読み出される。
【００９０】
通信部２０３はインターネットなどのネットワークのインタフェースであり、制御部２０１による制御に従って外部の装置と通信を行う。
【００９１】
ドライブ２０４には、光ディスクまたは半導体メモリなどよりなるリムーバブルメディア２０５が適宜装着される。ドライブ２０４によってリムーバブルメディア２０５から読み出されたコンピュータプログラムおよびデータは、制御部２０１に供給され、記憶部２０２に記憶されたり、インストールされたりする。
【００９２】
ＲＯＭ２０６には、制御部２０１において実行されるプログラムおよびデータが記憶されている。ＲＡＭ２０７は、制御部２０１が処理するデータおよびプログラムを一時的に記憶する。
【００９３】
撮影部２１は、撮影空間Ａ１におけるユーザの撮影制御に関する処理を行う。撮影部２１は、硬貨処理部２２１、背景制御部２２２、照明制御部２２３、カメラ９１、タッチパネルモニタ９３、およびスピーカ２２４から構成される。
【００９４】
硬貨処理部２２１は、硬貨投入返却口８７に対する硬貨の投入を検出する。硬貨処理部２２１は、例えば３００円などの所定の金額分の硬貨が投入されたことを検出した場合、そのことを表す起動信号を制御部２０１に出力する。
【００９５】
背景制御部２２２は、制御部２０１より供給される背景制御信号に従って背景カーテンユニット２５に収納されている背景カーテンの上げ下ろしを行う。背景カーテンの選択がユーザによって手動で行われるようにしてもよい。
【００９６】
照明制御部２２３は、制御部２０１より供給される照明制御信号に従って、撮影空間Ａ１内の各ストロボの発光を制御する。上述したように、撮影空間Ａ１には、天井ストロボユニット２４のストロボの他に、撮影部２１に設けられる上ストロボ８２、左ストロボ８３、右ストロボ８４、下ストロボ８５、足元ストロボ８６と、背景部２２に設けられる背面中央ストロボ１０１、背面左ストロボ１０２、背面右ストロボ１０３が設けられる。各ストロボの内部には蛍光灯も設けられる。
【００９７】
また、照明制御部２２３は、各ストロボの内部に設けられる蛍光灯の発光量を調整することによって、または、発光させる蛍光灯の数を調整することによって、ユーザが行っている撮影制御の段階に応じて撮影空間Ａ１内の明るさを調整する。
【００９８】
カメラ９１は、制御部２０１による制御に従って撮影を行い、撮影によって得られた画像（撮影画像）を制御部２０１に出力する。
【００９９】
編集部１２Ａは、編集空間Ａ２−１におけるユーザの編集制御に関する処理を行う。編集部１２Ａは、編集部１２の正面側に設けられるタブレット内蔵モニタ１３１、タッチペン１３２Ａ、１３２Ｂ、およびスピーカ２３１から構成される。編集部１２Ｂも編集部１２Ａと同一の構成を有しており、編集空間Ａ２−２におけるユーザの編集制御に関する処理を行う。
【０１００】
タブレット内蔵モニタ１３１は、制御部２０１による制御に従って編集画面を表示し、編集画面に対するユーザの操作を検出する。ユーザの操作の内容を表す信号は制御部２０１に供給され、編集対象の画像の編集が行われる。
【０１０１】
事後接客部１３は、事後接客空間Ａ３における事後接客に関する処理を行う。事後接客部１３は、タブレット内蔵モニタ１６１、タッチペン１６２Ａ、１６２Ｂ、非接触型ＩＣリーダ／ライタ１６３、およびスピーカ１６５から構成される。
【０１０２】
印刷部２１１は、印刷制御を行う構成であるプリンタ２４１、およびシール紙ユニット２４２から構成される。プリンタ２４１は、画像、またはユーザによる編集制御によって得られた編集済みの画像を、プリンタ２４１に装着されたシール紙ユニット２４２に収納されているシール紙に印刷し、シール紙排出口１６４に排出する。一点鎖線で囲んで示す事後接客部１３と印刷部２１１が、事後接客空間Ａ３にいるユーザを相手とした事後接客に関する処理を行う構成となる。
【０１０３】
また、印刷部２１１は、印刷制御に係る処理において、シール紙への撮影画像（又は編集画像）の印刷に加え、欄外（シール紙の端部など）に、管理サーバ４へ送信した生成画像を取得するためのＵＲＬ（Uniform Resource Locater）、及び、シールＩＤ（画像取得用ＩＤ）などを印刷してもよい。シールＩＤとは、写真シール作成装置１において１プレイで生成された１又は複数の生成画像を一義的に特定するための識別子であり、ユーザが１プレイにおいて生成された画像を取得するための識別子である。ユーザは、生成画像を取得するためのＵＲＬにアクセスし、シールＩＤを入力することにより、写真シール作成装置１において１プレイで生成された生成画像を取得するためのウェブページ（画像取得用ページ）を携帯端末６に表示させることができる。
【０１０４】
これは、例えば、事後接客部１３などにおいてユーザからメールアドレスの入力を受け付ける際に、タイムアウトやミス入力により正しいアドレスを受け付けることができず、生成画像を取得するためのＵＲＬなどの情報をユーザに送信することができないなど場合に、シール紙に印刷されているＵＲＬにアクセスしてシールＩＤを入力することによりユーザが生成画像を取得することができるようにするためである。
【０１０５】
なお、印刷部２１１は、生成画像を取得するための情報として、ＵＲＬではなく、例えば、所定のメールアドレス又はＱＲコード（登録商標）などを印刷してもよい。所定のメールアドレスが印刷されている場合には、ユーザは、当該所定のメールアドレスに空メールを送信することにより、生成画像を取得するためのＵＲＬが記載されたメールを管理サーバ４から受信することができる。また、シール紙にＱＲコードが印刷されている場合には、ユーザは、携帯端末６を用いてＱＲコードの示すウェブページへアクセスすることにより、画像取得用ページへ直接アクセスすることもできる。
【０１０６】
（制御部の構成）
図１１は、写真シール作成装置１に備えられる制御部２０１の詳細な構成例を示す機能ブロック図である。この図に示すように、制御部２０１は、通信制御部３１１、撮影制御部３１２、編集制御部３１３、印刷制御部３１４、および事後接客制御部３１５を備えている。
【０１０７】
通信制御部３１１は、通信部２０３による外部の装置との通信を制御する。通信制御部３１１は、写真シール作成装置１が１プレイにおいて生成した１または複数の生成画像に、画像ＩＤをそれぞれ対応付けて管理サーバ４に送信する。なお、画像ＩＤとは、生成画像を一義的に特定するための情報である。また、通信制御部３１１は、写真シール作成装置１が１プレイにおいて生成した１または複数の生成画像に、さらに、シールＩＤ等のその他の情報を対応付けて管理サーバ４に送信してもよい。また、通信制御部３１１は、写真シール作成装置１が１プレイにおいて生成した１または複数の生成画像全てを送信するのではなく、ユーザが指定した生成画像のみを管理サーバ４に送信してもよい。
【０１０８】
本実施形態では、シールＩＤを撮影日時および機器ＩＤから成る情報とし、画像ＩＤを、撮影日時、機器ＩＤおよび１プレイで生成された生成画像を識別するための連番から成る情報とする。また、本実施形態では、通信制御部３１１は、写真シール作成装置１が１プレイにおいて生成した１または複数の生成画像に、画像ＩＤおよびシールＩＤを対応付けて管理サーバ４に送信する。すなわち、通信制御部３１１は、当該生成画像に、撮影日時、機器ＩＤおよび連番を対応付けて送信する。
【０１０９】
撮影制御部３１２は、撮影部２１による、写真シール作成ゲームを開始する際に投入される代金に関する処理と、ユーザの撮影制御に従いユーザグループを撮影する等、写真シール作成ゲームにおけるユーザの撮影制御に関する処理とを制御する。撮影制御部３１２は、画像ＩＤおよびシールＩＤを生成することもできる。
【０１１０】
編集制御部３１３は、編集部１２Ａおよび編集部１２Ｂによる画像に対する落書き編集等、写真シール作成ゲームにおけるユーザの編集制御に関する処理を制御する。
【０１１１】
印刷制御部３１４は、印刷部２１１によるシール紙の印刷等、写真シール作成ゲームにおけるユーザの印刷制御に関する処理を制御する。
【０１１２】
事後接客制御部３１５は、事後接客部１３による、編集作業を終了したユーザグループを接客する処理等、写真シール作成ゲームにおける事後接客に関する処理を制御する。
【０１１３】
（管理サーバ４）
次に、管理サーバ４の詳細について、図１を参照して説明する。図１は、本発明の実施形態１に係る管理サーバ４の要部構成を示すブロック図である。この図に示すように、管理サーバ４は、主に、制御部４０１、記憶部４０２、および通信部４０３を備えている。制御部４０１は、管理サーバ４に備えられる各部材を統括制御する。記憶部４０２は、管理サーバ４において使用される各種データを記憶する。通信部４０３は、画像管理システム１０を構成する他の装置と通信する。
【０１１４】
（制御部４０１の詳細）
図１に示すように、制御部４０１は、通信制御部（送信手段、受信手段）４１１、メール作成部４１２、ウェブページ作成部（ページ作成手段）４１３、画像管理部（設定手段）４１４およびユーザ管理部４１５を備えている。
【０１１５】
（通信制御部４１１）
通信制御部４１１は、通信部４０３による通信を制御する。
【０１１６】
（メール作成部４１２）
メール作成部４１２は、写真シール作成装置１で遊んだユーザのメールアドレス宛に送信されるメールを作成する。本実施形態では、メール作成部４１２は、メールデータベース４２１に格納されているデータを用いて、通信制御部４１１から入力されたメールアドレス宛に送信される、画像の保存を案内するメールを作成し、通信制御部４１１に出力する。
【０１１７】
なお、メール作成部４１２は少なくとも、写真シール作成装置１で遊んだユーザに対する各種通知を作成および出力できればよく、当該通知の形式はメールに限られない。また、当該通知は、プッシュ通知およびプル通知のいずれであってもよい。例えば、写真シール作成装置１から管理サーバ４へ、連絡先としてメッセージシステムにおけるユーザＩＤ等の連絡先が送信されてきた場合、メール作成部４１２は、上記メッセージシステムのメッセージ機能、伝言板機能、コメント機能などにおけるメッセージ（すなわち、上記各種通知）を作成し出力してもよい。もしくは、メール作成部４１２は、上記メッセージシステム上のメッセージやメールソフトのメールを確認するようユーザに促すプッシュ通知を作成および出力してもよい。
【０１１８】
（ウェブページ作成部４１３）
ウェブページ作成部４１３は、携帯端末６に表示されるウェブページを作成する。本実施形態では、ウェブページ作成部４１３は、会員データベース４２２、ウェブページデータベース４２３および画像データベース４２４に格納されているデータを用いて、携帯端末６から受信したアクセス要求に応じたウェブページを作成し、通信制御部４１１に出力する。詳細は後述するが、ウェブページ作成部４１３は、ユーザの会員種別に応じたウェブページを作成する。
【０１１９】
具体的には、ウェブページ作成部４１３は、画像提供サイトに会員登録するための会員登録ページ、画像提供サイトに生成画像を保存するための画像保存ページ、各ユーザ固有のページであるマイページ、ユーザ自身のアルバムおよび特定の他のユーザが公開しているアルバム（公開アルバム）が時系列で掲載されているタイムラインページ等の、画像提供サイトを構成するウェブページを作成する。
【０１２０】
また、本願に記載の「ページ」は、例えば、ウェブページのように、管理サーバ４が携帯端末６等の通信端末に送信して表示するためのデータを意味する。なお、以降は一例として、本願に記載の「ページ」がウェブブラウザで閲覧可能なウェブページであるとして説明を行う。しかしながら、上記ページはウェブページ以外の形式であってもよい。また、上記ページには、通常、テキストデータおよび画像データが含まれており、さらに、音声データおよび動画データが含まれていてもよい。
【０１２１】
（画像管理部４１４）
画像管理部４１４は、写真シール作成装置１が生成した生成画像を管理する。本実施形態では、画像管理部４１４は、写真シール作成装置１から受信した生成画像のうち、ユーザによって指定された生成画像をユーザに対応付けて画像データベース４２４に保存する。
【０１２２】
画像管理部４１４は、ユーザによって指定された生成画像を保存するとき、当該生成画像を管理するための画像管理情報を生成して、生成した画像管理情報を生成画像に対応付けて保存する。また、画像管理部４１４は、携帯端末６から受信したユーザの操作指示に基づいて、画像管理情報を更新する。
【０１２３】
また、後述のように、ユーザは、画像提供サイト上において、自身が所有する生成画像を、１または複数の生成画像を有するアルバムとして分類することができる。画像管理部４１４は、各ユーザのアルバムも管理し、アルバムを管理するためのアルバム管理情報をユーザ毎に生成する。画像管理部４１４は、生成したアルバム管理情報をユーザに対応付けて画像データベース４２４に保存する。
【０１２４】
（ユーザ管理部４１５）
ユーザ管理部４１５は、画像提供サイトの会員であるユーザを管理する。ユーザ管理部４１５は、ユーザを管理するためのユーザ管理情報を生成し、生成したユーザ管理情報を会員データベース４２２に保存する。なお、ユーザ管理部４１５は、非会員のユーザも管理してもよく、非会員のユーザのユーザ管理情報を生成してもよい。
【０１２５】
（記憶部４０２の詳細）
図１に示すように、記憶部４０２は、メールデータベース４２１、会員データベース４２２、ウェブページデータベース４２３、および画像データベース４２４を有している。
【０１２６】
（メールデータベース４２１）
メールデータベース４２１は、ユーザに送信するメールを作成するための各種データを格納している。
【０１２７】
（会員データベース４２２）
会員データベース４２２は、画像提供サイトの会員であるユーザに関する各種情報を格納している。本実施形態では、会員データベース４２２には、上記ユーザ管理情報がユーザ毎に格納されている。
【０１２８】
ユーザ管理情報は、例えば、図２０に示すような情報であってよい。図２０に示すユーザ管理情報は、「会員ＩＤ」、「ユーザ名」、「ユーザ画像」、「フォロー」、「フォロワー」、「評価画像」、「メールアドレス」、「生年月日」、「住所」、「会員属性」、「入会日」および「端末ＩＤ」を含む。
【０１２９】
「会員ＩＤ」は、会員であるユーザを一義的に識別するためのＩＤである。「ユーザ名」は、ユーザの名称である。「ユーザ画像」は、後述するマイページ等に掲載されるユーザを示す画像であり、ユーザ画像を示すＩＤが記述される。「フォロー」は、ユーザがフォローした他のユーザであり、フォローした他のユーザの会員ＩＤが記述される。「フォロワー」は、ユーザをフォローしている他のユーザであり、当該他のユーザの会員ＩＤが記述される。「評価画像」は、ユーザが評価した画像であり、当該画像の画像ＩＤが記述される。「メールアドレス」は、ユーザのメールアドレスである。「生年月日」は、ユーザの生年月日である。「住所」は、ユーザの住所である。「会員属性」は、ユーザの会員属性を示し、「有料」または「無料」が記述される。「入会日」は、ユーザが画像提供サイトに会員登録した日である。「端末ＩＤ」は、ユーザが所持する携帯端末６を示し、当該携帯端末６を一意に識別するためのＩＤが記述される。
【０１３０】
ここで、会員ＩＤおよびメールアドレス等のユーザを特定するための情報をユーザ特定情報と称する。
【０１３１】
また、「フォロー」とは、ユーザ間の一方的な関係であり、ユーザは、フォローしている他のユーザの所有するアルバムのうち、公開アルバム内の生成画像を閲覧することができる。また、本実施形態では、ユーザ自身のタイムラインページ（詳細は後述）に、当該ユーザがフォローしている他のユーザの公開アルバムが掲載される。なお、ユーザが他のユーザをフォローする場合、原則、他のユーザの承認が必要である。すなわち、ユーザが他のユーザにフォローの申請を行い、他のユーザが当該申請を承認することにより、ユーザが他のユーザをフォローする関係が成立する。
【０１３２】
（ウェブページデータベース４２３）
ウェブページデータベース４２３は、携帯端末６に表示される画像提供サイトのウェブページを作成するための各種データを格納している。
【０１３３】
具体的には、ウェブページデータベース４２３は、タイムラインページに掲載する生成画像の枚数およびタイムラインページに掲載する生成画像の形状と、タイムラインページにおける各生成画像の掲載位置である配置パターンとが対応付けられた配置パターン情報を格納している。また、配置パターン情報の示す配置パターンにおいて、各生成画像の掲載位置と、各生成画像のアルバム内の表示順序とが対応付けられている。
【０１３４】
（画像データベース４２４）
画像データベース４２４は、写真シール作成装置１によって生成された生成画像のうち、画像提供サイトに保存するようにユーザによって指示された生成画像を格納している。画像データベース４２４には、生成画像が、会員データベース４２２に会員として登録されているユーザごとに区別されて格納されている。
【０１３５】
また、画像データベース４２４には、上記画像管理情報および上記アルバム管理情報もユーザ毎に格納されている。画像管理情報は、例えば、図２１に示すような情報であってよい。図２１に示す画像管理情報は、「画像ＩＤ」、「保存日時」、「評価ユーザ」および「コメント」を含む。
【０１３６】
「画像ＩＤ」は、生成画像を一義的に識別するためのＩＤであり、「撮影日時」、「機種ＩＤ」および「連番」から構成される。「撮影日時」は、写真シール作成装置１が生成画像を撮影した日時である。「機種ＩＤ」は、生成画像を生成した写真シール作成装置１の機種を一義的に識別するためのＩＤである。「連番」は、写真シール作成装置１において１プレイで生成された生成画像を識別するための番号である。
【０１３７】
「保存日時」は、生成画像が画像提供サイトに保存された日時である。「評価ユーザ」は、生成画像に対して評価をしているユーザを示し、当該ユーザの会員ＩＤが記述される。
【０１３８】
「コメント」は、生成画像に対して付与されたコメントに関する情報であり、「内容」、「ユーザ」、および「日時」を含む。「内容」は、コメントの内容を示す。「ユーザ」は、コメントを付与したユーザであり、当該ユーザの会員ＩＤが記述される。「日時」は、コメントが付与された日時である。
【０１３９】
また、アルバム管理情報は、例えば、図２２に示すような情報であってよい。図２２に示すアルバム管理情報は、「アルバム」および「画像」を含む。「アルバム」は、アルバムに関する情報であり、「アルバムＩＤ」、「アルバム名」、「カバー画像」、「説明文」、「作成日時」、「更新日時」、「表示順序」および「公開設定」を含む。
【０１４０】
「アルバムＩＤ」は、アルバムを一義的に識別するためのＩＤである。「アルバム名」は、アルバムの名称である。「カバー画像」は、アルバムのカバー画像（詳細は後述）である。「説明文」は、アルバムの説明文である。「作成日時」は、アルバムが作成された日時である。「更新日時」は、アルバムが更新された日時である。「表示順序」は、後述のマイページにおけるアルバムの表示順序を示す。「公開設定」は、アルバムが公開であるか非公開であるかを示す。非公開にされたアルバム（非公開アルバム）は、画像提供サイト上にて当該非公開アルバムを所有するユーザ自身のみが閲覧可能なアルバムである。
【０１４１】
また、「画像」は、アルバムに含まれる生成画像に関する情報であり、「画像ＩＤ」および「表示順序」を含む。「画像ＩＤ」は、アルバムに含まれる生成画像を示し、アルバムに含まれる生成画像の画像ＩＤが記述される。「表示順序」は、アルバム内における生成画像の表示順序を示す。
【０１４２】
なお、「アルバムＩＤ」が「００１」のアルバムは、デフォルトで設定されるアルバムであるため、「作成日時」が記述されていない。また、「アルバムＩＤ」が「００１」のアルバムは、「アルバム」の「表示順序」が「０」である。これは、当該アルバムが常に先頭に表示されることを意味する。
【０１４３】
また、「公開設定」において、フォロワー全員に公開するのではなく、特定のユーザにのみ公開する場合、その特定のユーザの会員ＩＤが記述されてもよい。
【０１４４】
図示はしないが、記憶部４０２は、写真シール作成装置１から受信した生成画像などのデータを一時的に保存する一時保存データベースも有している。
【０１４５】
（通信部４０３の詳細）
本実施形態では、写真シール作成装置１および携帯端末６が、通信部４０３の通信相手である。通信部４０３は、通信制御部４１１の制御を受けることによって、他の装置からデータを受信したり、他の装置にデータを送信したりする。
【０１４６】
（携帯端末６）
図１２は、本発明の実施形態１に係る携帯端末６の要部構成を示すブロック図である。この図に示すように、携帯端末６は、主に、制御部６０１、記憶部６０２、通信部６０３、入力部６０４、および表示部６０５を備えている。制御部６０１は、携帯端末６に備えられる各部材を統括制御する。記憶部６０２は、携帯端末６において使用される各種データを記憶する。携帯端末６は、画像管理システム１０を構成する他の装置と通信する。入力部６０４は、タッチパネルなどの、ユーザが携帯端末６に情報を入力するための装置である。表示部６０５は、液晶表示装置などの、情報を表示するための装置である。
【０１４７】
（制御部６０１の詳細）
図１２に示すように、制御部６０１は、通信制御部６１１、入力制御部６１２、および表示制御部６１３を備えている。
【０１４８】
通信制御部６１１は、通信部６０３による通信を制御する。入力制御部６１２は、入力部６０４における情報入力を制御する。表示制御部６１３は、表示部６０５における情報表示を制御する。たとえば、通信制御部６１１から入力されたウェブページを表示制御部６１３が表示部６０５に出力することによって、当該ウェブページを表示部６０５に表示させることができる。
【０１４９】
（会員登録処理）
画像管理システム１０では、画像提供サイトに会員登録したユーザが、生成画像を画像提供サイトに保存することができる。ユーザは、所定の手順に従い自身を画像提供サイトに無料会員として登録する。その手順について、図１３を参照して以下に説明する。図１３は、会員登録処理時に携帯端末６の表示部６０５に表示される会員登録ページの一例を示す画面遷移図である。
【０１５０】
ユーザは、画像提供サイトに会員登録するために、携帯端末６を用いて画像提供サイトにアクセスする。この結果、図１３の（ａ）に示すような画像提供サイトのトップページ１００１が、携帯端末６の表示部６０５に表示される。トップページ１００１は、会員ログイン処理を進めるためのリンク画像１００２、および無料会員登録処理を進めるためのリンク画像１００３を少なくとも含む。
【０１５１】
ユーザは、携帯端末６の入力部６０４を操作することによって、無料会員登録を進めるためのリンク画像１００３を選択する。この結果、携帯端末６は、管理サーバ４と通信し、結果として、図１３の（ｂ）に示すような、無料会員登録用のウェブページ１０１１を表示部６０５に表示する。
【０１５２】
ウェブページ１０１１は、無料会員登録されるユーザを特定する情報（ユーザ特定情報）を入力するための入力フォーム１０１２、および、入力されたユーザ特定情報を管理サーバ４に送信するためのリンク画像１０１３を少なくとも含む。ユーザは、携帯端末６の入力部６０４を操作することによって、ユーザの会員ＩＤ、パスワード、およびメールアドレスなどの各種の個人情報を、ユーザ特定情報として入力フォーム１０１２に入力する。ユーザは、ユーザ特定情報の入力完了後、リンク画像１０１３を選択する。これにより携帯端末６は、ユーザ特定情報を管理サーバ４に送信すると共に、ユーザの無料会員登録を管理サーバ４に要求する。
【０１５３】
管理サーバ４の通信制御部４１１は、携帯端末６から送信されたユーザ特定情報を通信部４０３を通じて受信する。通信制御部４１１は、受信したユーザ特定情報をメール作成部４１２に出力すると共に、会員登録用メールの作成をメール作成部４１２に指示する。この指示を受けて、メール作成部４１２は、図１３の（ｃ）に示すような会員登録用メール１０２１を作成する。会員登録用メール１０２１は、受信したユーザ特定情報に含まれるメールアドレス宛のメールであり、無料会員登録の完了を示すウェブページへのＵＲＬ１０２２を含んでいる。メール作成部４１２は、作成した会員登録用メール１０２１を通信制御部４１１に出力する。通信制御部４１１は、入力された会員登録用メール１０２１を、通信部４０３を介してユーザのメールアドレス宛に送信する。
【０１５４】
携帯端末６は、送信された会員登録用メール１０２１を受信し、表示部６０５に表示する。ユーザは、表示された会員登録用メール１０２１を確認し、ＵＲＬ１０２２を選択する。これにより携帯端末６は、ＵＲＬ１０２２によって特定されるウェブページを、管理サーバ４に要求する。
【０１５５】
この要求を受けて、管理サーバ４は、無料会員登録を完了させる。具体的には、管理サーバ４が、会員データベース４２２にユーザ用のアカウント領域（会員固有のデータを保存する記憶領域）を作成し、当該アカウント領域に、ユーザ特定情報を保存する。このとき、ユーザが無料会員であることを表す情報を、アカウント領域に追加する。最後に、管理サーバ４は、無料会員登録が完了したことを示すウェブページを作成し、携帯端末６に送信する。
【０１５６】
なお、ユーザは、無料会員の登録後、会員ＩＤ及びパスワードを入力することにより画像提供サイトにログインし、所定の手続きを踏むことによって、自身を有料会員として画像提供サイトに登録することができる。この登録完了後、ユーザのアカウント領域には、ユーザが有料会員であることを表す情報が追加される。
【０１５７】
（サービスの流れ）
次に、画像管理システム１０によって提供されるサービスの流れの詳細について、図１４および図１５を参照して以下に説明する。図１４は、画像管理システム１０における写真撮影からマイページ表示までの一連の処理の流れの一例を示すシーケンス図である。
【０１５８】
（写真撮影）
図１４に示すように、ユーザは、写真シール作成装置１においてゲームのプレイを開始する（ステップＳ１）。具体的には、ユーザは、写真シール作成装置１の正面パネル４１の前に立ち、ゲームのプレイに必要な料金の硬貨を、硬貨投入返却口８７に投入する。撮影制御部３１２は、所定の金額分の硬貨が投入されたか否かを、硬貨処理部２２１から供給される信号に基づいて判定する。
【０１５９】
投入されたと判定した場合、撮影制御部３１２は、撮影部２１を制御し、カメラ９１に取り込まれた被写体の動画像をタッチパネルモニタ９３にライブビュー表示させ、ユーザによる撮影制御に従って、撮影空間Ａ１にいるユーザを被写体として撮影する（ステップＳ２）。この撮影制御は撮影処理時間内に複数回行われる。
【０１６０】
なお、撮影制御における処理として、シール紙への印刷用の画像の撮影ではなく、携帯端末６への送信用の画像の撮影として、所定の回数の撮影を行うこともある。この場合には、携帯端末６への送信用の画像に適した画像として、合成用画像をクロマキ合成した画像、及び、色フィルターによるフィルタリング処理などの画像処理を施した画像を、撮影時に作成することもある。
【０１６１】
写真撮影の終了後、撮影制御部３１２は、撮影空間Ａ１にいるユーザに対して、編集空間Ａ２−１または編集空間Ａ２−２への移動を案内する。この案内は、案内画面を撮影部２１のタッチパネルモニタ９３に表示させることによって、または、音声案内をスピーカ２２４から出力させることによって、行われる。
【０１６２】
（画像編集）
案内の終了後、編集制御部３１３は、編集空間Ａ２−１と編集空間Ａ２−２のうち、撮影制御を終えたユーザの移動先とした方の編集空間に対応する編集部１２を制御することによって、編集部１２に画像を編集させる（ステップＳ３）。具体的には、編集制御部３１３は、編集対象画像として選択または取得された画像に合成するための合成用画像をユーザに選択させ、選択された合成用画像を画像に合成させ、得られた合成画像を、ユーザによる編集操作に従って編集する。また、携帯端末６への送信用の画像に対する編集として、例えば、画像を所定のサイズにトリミングする処理、色フィルターによるフィルタリング処理、及び、複数の画像を一つの画像として仕上げるコラージュ合成処理などの処理を行うこともできる。
【０１６３】
編集の終了後、編集制御部３１３は、編集空間Ａ２−１または編集空間Ａ２−２において編集制御を終えたユーザに、事後接客空間Ａ３への移動を案内する。この案内は、案内画面をタブレット内蔵モニタ１３１に表示させることによって、または、案内音声をスピーカ２３１から出力させることによって、行われる。
【０１６４】
（写真シール印刷）
案内の終了後、印刷制御部３１４は、ユーザによって選択された画像をプリンタ２４１に出力してシール紙に印刷させる（ステップＳ４）。印刷が終了すると、事後接客制御部３１５は、印刷が終了した旨をタブレット内蔵モニタ１６１に表示させ、プリンタ２４１は、管理サーバ４及び写真シール作成装置１から同じ手順で生成画像を取得可能なように、写真シール作成装置１において作成されたシールＩＤおよび、画像取得情報（画像取得サイトのＵＲＬ、または、取得のためのメールアドレスなど）が欄外に印刷され、また、所定の生成画像が中央部に印刷されたシール紙をシール紙排出口１６４に排出する。
【０１６５】
なお、写真シール作成装置１は、管理サーバ４が画像ＩＤおよびシールＩＤの作成に使用するアルゴリズムと同じアルゴリズムを用いて、通信によらない付帯情報で画像ＩＤおよびシールＩＤを作成してもよい。この場合、写真シール作成装置１は、管理サーバ４が画像ＩＤおよびシールＩＤを作成することなく、画像ＩＤおよびシールＩＤを得ることができ、かつ、管理サーバ４は、写真シール作成装置１が作成した画像ＩＤおよびシールＩＤを適切に認識して、対応する一時保管データベースに保存された画像を特定できる。
【０１６６】
（事後接客）
印刷中、事後接客制御部３１５は、事後接客部１３を制御し、印刷終了待機中のユーザに対する事後接客に関する処理を制御する（ステップＳ５）。具体的には、事後接客制御部３１５は、事後接客部１３による事後接客に関する処理として、写真シール作成ゲームにおいて生成画像を管理サーバ４に送信するための処理を制御する。その際、事後接客制御部３１５は、ゲームをプレイしたユーザのメールアドレスを入力するためのメールアドレスの入力画面をタブレット内蔵モニタ１６１に表示させる。ユーザは、タッチペン１６２Ａまたはタッチペン１６２Ｂを用いることによって、現在用いているメールアドレスを入力する。なお、ユーザが指定した生成画像のみを管理サーバ４に送信する場合、事後接客制御部３１５は、送信する生成画像の選択画面もタブレット内蔵モニタ１６１に表示させる。
【０１６７】
（画像送信）
通信制御部３１１は、入力されたメールアドレスおよび写真シール作成装置１が１プレイで生成した１または複数の生成画像を、通信部２０３を通じて管理サーバ４に送信する（ステップＳ６）。このとき送信される生成画像には、当該生成画像を一義的に特定するための識別子（画像ＩＤ）が関連付けられている。さらに、送信される生成画像に、シールＩＤ等のその他の情報が関連付けられてよい。写真シール作成装置１から送信されたメールアドレス、生成画像、および画像ＩＤ等を、管理サーバ４の通信部４０３が受信し（ステップＳ７）、通信制御部４１１に出力する。通信制御部４１１は、受信した生成画像を、記憶部４０２の図示しない一時保存データベースに保存する。保存された生成画像などのデータは、規定の期限が経過するまで一時保存データベースに格納され続け、期限が経過すると自動的に一時保存データベースから削除される。
【０１６８】
このように、ユーザが将来有料会員になる場合を考慮して、１プレイで生成されたすべての生成画像を送信する。そのため、ユーザは、無料会員の状態で写真シール作成装置１を利用した後、サイト上で有料会員になった場合に、写真シール作成装置１において生成されたすべての生成画像を取得することができる。
【０１６９】
なお、通信制御部３１１は、管理サーバ４に対し、ユーザが選択した所定の枚数の生成画像、もしくは、制御部２０１が送信対象と決定した生成画像を送信してもよい。
【０１７０】
（案内メールの作成および送信）
通信制御部４１１は、受信したメールアドレスおよび画像ＩＤをメール作成部４１２に出力する。なお、シール紙にシールＩＤが印刷されている場合は、メールに画像ＩＤは記載しなくてもよい。メール作成部４１２は、通信制御部４１１から受け取ったメールアドレス宛に送信される、生成画像の保存をユーザに案内する案内メールを作成する。その手順は次の通りである。メール作成部４１２は、画像ＩＤをウェブページ作成部４１３に出力すると共に、当該画像ＩＤによって特定される生成画像を保存するためのウェブページを示すＵＲＬ１１０２の生成を、ウェブページ作成部４１３に要求する。なお、画像ＩＤの入力をユーザに促し、生成画像を保存させるＵＲＬを要求してもよい。ウェブページ作成部４１３は、要求されたＵＲＬ１１０２を生成し、メール作成部４１２に出力する。
【０１７１】
メール作成部４１２は、案内メールを作成するためのデータをメールデータベース４２１から取得する。そして、当該データ、ＵＲＬ１１０２、およびユーザのメールアドレスを用いて、図１５の（ａ）に示す案内メール１１０１を作成する。案内メール１１０１の本文中には、ＵＲＬ１１０２が記載されている。メール作成部４１２は、作成した案内メール１１０１を通信制御部４１１に出力する。通信制御部４１１は、通信部４０３を介して、ユーザのメールアドレス宛に案内メール１１０１を送信する（ステップＳ８）。
【０１７２】
なお、メール作成部４１２は、画像ＩＤとその画像ＩＤにかかわる生成画像とをまとめるウェブページではなく、シールＩＤをユーザに入力してもらうだけのウェブページを示すＵＲＬを含む案内メールを送信してもよい。この場合には、管理サーバ４は、案内メールに含まれるＵＲＬの示すウェブページ上において、携帯端末６からシール紙の欄外に印刷されたシールＩＤの入力を受け付け、当該管理サーバ４に送信されている生成画像を表示するようにしてもよい。
【０１７３】
（画像保存ページの要求および送信）
携帯端末６の通信部６０３は、送信された案内メール１１０１を受信し（ステップＳ９）、通信制御部６１１に出力する。通信制御部６１１は、入力された案内メール１１０１を表示制御部６１３に出力する。表示制御部６１３は、入力された案内メール１１０１を表示部６０５に出力する。ユーザは、表示部６０５に表示された案内メール１１０１を確認し、画像提供サイトに画像を保存するために、入力部６０４を用いてＵＲＬ１１０２を選択する（ステップＳ１０）。なお、画像ＩＤをユーザが入力するようにしてもよい。
【０１７４】
入力制御部６１２は、入力部６０４における選択入力を受け付け、ＵＲＬ１１０２が選択されたことを通信制御部６１１に通知する。これを受けて通信制御部６１１は、選択されたＵＲＬ１１０２に対応するウェブページを、管理サーバ４に要求する。具体的な手順は次の通りである。通信制御部６１１は、記憶部６０２に格納されているユーザの会員ＩＤを取得し、この会員ＩＤを含みかつウェブページの提供を求める所定のリクエストを、通信部６０３を通じて管理サーバ４に送信する。
【０１７５】
通信制御部４１１は、送信されたリクエストを通信部４０３を通じて受信し（ステップＳ１１）、ウェブページ作成部４１３に出力する。ウェブページ作成部４１３は、リクエストに含まれる会員ＩＤを会員データベース４２２に照会することによって、ユーザの会員種別を判定する（ステップＳ１２）。本実施形態では、ウェブページ作成部４１３は、ユーザが無料会員および有料会員のいずれであるかを判定し、判定結果に応じたウェブページを作成する。ウェブページ作成部４１３は、ユーザが無料会員であると判定した場合には、図１５（ｂ）に示すような、無料会員が画像を保存するためのウェブページ１１０３を作成する。一方、ユーザが有料会員であると判定した場合には、図１５（ｃ）に示すような、有料会員が画像を保存するためのウェブページ１１０７を作成する。
【０１７６】
なお、画像を保存する際に、画像にかかわる各情報を修正追記変更可能なウェブページに遷移してもよい。
【０１７７】
図１５（ｂ）に示すように、ウェブページ１１０３は、６つのサムネイル画像１１０４、ユーザに有料会員の登録を促すリンク画像１１０５、および、画像提供サイトに生成画像を１枚保存するためのリンク画像１１０６を含んでいる。サムネイル画像１１０４は、写真シール作成装置１において１プレイで生成された１または複数の生成画像（シールＩＤに対応する１または複数の生成画像）のサムネイル画像である。図１５（ｂ）に示す例では、１プレイで６枚の生成画像が生成されている。サムネイル画像１１０４の数は、写真シール作成装置１において１プレイで生成された生成画像（シールＩＤに対応する生成画像）の数に対応する。ユーザが無料会員である場合には保存できる生成画像が１枚であるため、ユーザは６つのサムネイル画像１１０４の中から１つを選択して、リンク画像１１０６を押下（タップ）することにより、生成画像を画像提供サイトに保存することができる。なお、ユーザが指定した生成画像のみを管理サーバ４に送信している場合、ウェブページ１１０３には、そのユーザが指定した生成画像のサムネイル画像１１０４が表示される。
【０１７８】
図１５（ｃ）に示すように、ウェブページ１１０７は、６つのサムネイル画像１１０４、および、全ての画像を保存するためのリンク画像１１０８を含んでいる。ユーザが有料会員である場合には１プレイで生成された生成画像を全て保存することができるため、ユーザはリンク画像１１０８を押下することにより、１プレイで生成された生成画像全てを画像提供サイトに保存することができる。
【０１７９】
本例では、ユーザは無料会員であるので、ウェブページ作成部４１３は、無料会員用のウェブページ１１０３を作成する。ウェブページ作成部４１３は、作成したウェブページ１１０３を通信制御部４１１に出力する。通信制御部４１１は、入力されたウェブページ１１０３を、通信部４０３を通じて携帯端末６に送信する（ステップＳ１３）。
【０１８０】
（画像保存）
携帯端末６は、通信部６０３を通じてウェブページ１１０３を受信する（ステップＳ１４）。ウェブページ１１０３は、通信制御部６１１を介して表示制御部６１３に出力される。表示制御部６１３は、入力されたウェブページ１１０３を表示部６０５に出力する。ユーザは、表示部６０５に表示されたウェブページ１１０３を確認する。ユーザが無料会員である場合、生成画像が複数枚あったとしても、画像提供サイトに保存できるのは、それらのうちのいずれか１枚である。ユーザは、１枚の生成画像を保存したい場合、入力部６０４を通じて、いずれかのサムネイル画像１１０４を選択してから、リンク画像１１０６を押下する。なお、当該保存したい生成画像は、写真シール作成装置１において携帯端末６へ送信する生成画像として選択した画像に限られず、例えば、画像提供サイトにアクセスしている携帯端末６において保存対象の画像として指定された生成画像であってもよい。
【０１８１】
入力制御部６１２は、入力部６０４における選択入力を受け付け、所定のサムネイル画像１１０４およびリンク画像１１０６が選択されたことを通信制御部６１１に通知する。これを受けて、通信制御部６１１は、所定のサムネイル画像１１０４に対応する生成画像を保存する指示（画像保存指示）を管理サーバ４に送信する（ステップＳ１５）。
【０１８２】
送信された画像保存指示を、通信制御部４１１が通信部４０３を通じて受信する（ステップＳ１６）。これにより通信制御部４１１は、画像保存指示の示すユーザが選択した生成画像の保存を画像管理部４１４に指示する。画像管理部４１４は、この指示を受けて、一時保存データベースに格納されているユーザの生成画像の画像管理情報を生成し、生成した画像管理情報を対応付けた生成画像を、ユーザの会員ＩＤに関連付けて画像データベース４２４に保存する（ステップＳ１７）。
【０１８３】
なお、無料会員であるユーザは、全ての生成画像を保存したい場合、リンク画像１１０５を選択する。この場合、有料会員登録のための一連の処理が画像管理システム１０において行われる。そして登録が完了すると、全ての生成画像がユーザの会員ＩＤに関連付けられて画像データベース４２４に保存される。
【０１８４】
また、ユーザが有料会員である場合の保存処理は、本質的には上述した無料会員の場合の保存処理と同じである。ただし、ユーザは、ウェブページ１１０７に含まれるリンク画像１１０８を選択する。これにより管理サーバ４は、画像データベース４２４におけるユーザの画像記憶領域に、１プレイで生成された全ての生成画像を保存する。なお、ユーザによる保存する生成画像（無料会員であれば１枚の生成画像、有料会員であれば全ての生成画像）の選択は、写真シール作成装置１において受け付けられていてもよい。この場合には、画像管理部４１４は、写真シール作成装置１において選択されている生成画像を画像データベース４２４に保存すればよい。
【０１８５】
画像管理部４１４が生成画像を画像データベース４２４に保存すると、ウェブページ作成部４１３は、画像保存完了ページを作成する。ウェブページ作成部４１３は、例えば、図１５（ｄ）に示す画像保存完了ページ１１１１を作成してもよい。
【０１８６】
図１５（ｄ）に示すように。画像保存完了ページ１１１１は、画像管理部４１４が画像データベース４２４に保存した生成画像のサムネイル画像１１１２およびマイページ（詳細は後述）へのリンクテキスト１１１３を含む。図１５（ｄ）では、画像保存完了ページ１１１１が６つのサムネイル画像１１１２を含み、６つの生成画像が保存された場合を示している。ユーザは、リンクテキスト１１１３を押下することにより、携帯端末６にマイページを表示させることができる。
【０１８７】
ウェブページ作成部４１３は、作成した画像保存完了ページ１１１１を通信制御部４１１に出力する。通信制御部４１１は、入力された画像保存完了ページ１１１１を、通信部４０３を通じて携帯端末６に送信する（ステップＳ１８）。
【０１８８】
携帯端末６の通信制御部６１１は、通信部６０３を通じて画像保存完了ページ１１１１を受信し、受信した画像保存完了ページ１１１１を表示制御部６１３に出力する。表示制御部６１３は、入力された画像保存完了ページ１１１１を表示部６０５に出力する（ステップＳ１９）。ユーザは、表示部６０５に表示された画像保存完了ページ１１１１を確認することにより、画像提供サイトに保存された生成画像を確認することができる。
【０１８９】
（マイページ表示）
ユーザが画像保存完了ページ１１１１のリンクテキスト１１１３を選択すると（ステップＳ２０）、入力制御部６１２は、入力部６０４における選択入力を受け付け、リンクテキスト１１１３が選択されたことを通信制御部６１１に通知する。これを受けて通信制御部６１１は、選択されたリンクテキスト１１１３に対応するマイページを、管理サーバ４に要求する。具体的な手順は次の通りである。通信制御部６１１は、記憶部６０２に格納されているユーザの会員ＩＤを取得し、この会員ＩＤを含みかつマイページの提供を求める所定のリクエストを、通信部６０３を通じて管理サーバ４に送信する。
【０１９０】
通信制御部４１１は、送信されたリクエストを通信部４０３を通じて受信し（ステップＳ２１）、ウェブページ作成部４１３に出力する。ウェブページ作成部４１３は、リクエストに基づいてマイページを作成する（ステップＳ２２）。具体的には、ウェブページ作成部４１３は、リクエストに含まれる会員ＩＤを会員データベース４２２に照会することによって、ユーザを特定する。ウェブページ作成部４１３は、特定したユーザのユーザ管理情報および画像管理情報を、会員データベース４２２、画像データベース４２４から読み出して、特定したユーザのマイページを作成する。ウェブページ作成部４１３は、例えば、図１６（ａ）に示すようなマイページ１２００を作成してもよい。
【０１９１】
ウェブページ作成部４１３は、作成したマイページ１２００を通信制御部４１１に出力する。通信制御部４１１は、入力されたマイページ１２００を、通信部４０３を通じて携帯端末６に送信する（ステップＳ２３）。
【０１９２】
携帯端末６の通信制御部６１１は、通信部６０３を通じてマイページ１２００を受信し、受信したマイページ１２００を表示制御部６１３に出力する。表示制御部６１３は、入力されたマイページ１２００を表示部６０５に出力する（ステップＳ２４）。ユーザは、表示部６０５に表示されたマイページ１２００およびマイページ１２００から遷移するページにおいて、画像提供サイトに保存された生成画像を閲覧することができる。
【０１９３】
（マイページの詳細）
マイページは、画像提供サイトを構成するウェブページであって、ユーザ毎に作成される各ユーザ固有のウェブページである。具体的には、マイページは、ユーザが画像提供サイト上で所有する生成画像（ユーザが画像提供サイトに保存した生成画像）を閲覧するためのウェブページである。また、マイページには、ユーザのステータスが表示される。また、マイページから、生成画像を整理するためのページ、または、他のユーザの生成画像を閲覧するためのページに遷移することができる。
【０１９４】
図１６（ａ）に示すように、マイページ１２００は、ユーザ画像１２０１、ユーザ名１２０２、所持画像数１２０３、フォロー人数１２０４、フォロワー人数１２０５、評価数１２０６、アルバム１２１０、１２２０、１２３０、１２４０、ページ切替ボタン１２５１〜１２５５、アルバムメニューボタン１２５６、および、設定ボタン（システム設定ボタン）１２５７を含む。
【０１９５】
ユーザ画像１２０１は、ユーザが任意に設定した画像である。ユーザ名１２０２は、ユーザの名称である。所持画像数１２０３は、ユーザが画像提供サイト上で所持する生成画像の枚数である。
【０１９６】
フォロー人数１２０４は、ユーザがフォローしている人数である。フォロワー人数１２０５は、ユーザがフォローされている人数（フォロワーの人数）である。ここで、フォローとは、ユーザ間の一方的な関係である。後述するタイムラインページにおいて、フォローしている他のユーザのアルバムを閲覧することができる。
【０１９７】
評価数１２０６は、ユーザが評価した画像の枚数である。ユーザは、自身の生成画像および他のユーザの生成画像に対して評価することができる。本実施形態では、ユーザは、良いと思った生成画像に対して評価を付与する。すなわち、本実施形態では、ユーザは生成画像に対して、「評価有り／評価無し」の２段階で評価する。ただし、これに限るものではなく、３段階以上の評価をしてもよい。例えば、「すごく良い／とても良い／良い／やや良い／良くない」の５段階で評価してもよい。なお、上記評価は、ユーザアカウントまたは他のユーザのアカウントが所有しているアルバム自体に対して行うことができてもよい。ユーザ自身または他のユーザのアルバムに対して評価を付与することができる場合、評価数１２０６は、ユーザが評価したアルバムの個数であってもよいし、ユーザが評価した画像の枚数およびアルバムの個数の合計であってもよい。
【０１９８】
アルバム１２１０、１２２０、１２３０および１２４０は、ユーザが画像提供サイト上で所持する生成画像を分類、整理するためのものであり、各アルバムは、１または複数の生成画像を含む。アルバム１２１０は、デフォルトで設定されるアルバムであり、ユーザが画像提供サイトに保存した生成画像はアルバム１２１０に含まれる。換言すると、管理サーバ４の画像データベース４２４に保存されているが、ユーザが画像提供サイト上で自発的にアルバムにまとめていない画像（未整理画像）は全て、アルバム１２１０に含まれる。一方、アルバム１２２０、１２３０および１２４０は、ユーザが作成したアルバムである。
【０１９９】
ここで、アルバム１２１０〜１２４０は、アルバム管理情報に示すアルバムの表示順序に従って順番に並べて表示される。なお、アルバム１２１０は、デフォルトで設定されるアルバムであり、常に先頭に表示される（アルバム管理情報において、アルバムの表示順序が「０」である）。
【０２００】
アルバム１２１０は、アルバム名１２１１、カバー画像１２１２、サムネイル画像１２１３およびアルバム内画像数１２１４を含む。アルバム名１２１１は、アルバムの名称である。カバー画像１２１２は、アルバムごとにユーザが任意に設定した画像である。サムネイル画像１２１３は、アルバム内に含まれる生成画像のサムネイル画像である。アルバム内画像数１２１４は、アルバム内に含まれる生成画像の枚数である。
【０２０１】
アルバム１２１０に表示されるサムネイル画像１２１３の数は任意でよい。図１６（ａ）に示す例では、３つのサムネイル画像１２１３が表示されている。本実施形態では、アルバム内の表示順序が１〜３番である生成画像のサムネイル画像がサムネイル画像１２１３として表示される。
【０２０２】
なお、非公開のアルバムに、非公開アイコン１２１５を表示してもよい。また、アルバム内にユーザがまだ閲覧していない（未読）の生成画像がある場合、未読の生成画像の枚数を示す未読画像数バッジ１２１６を表示してもよい。例えば、ユーザが画像提供サイトに新たに生成画像を保存した場合、「未整理プリ」アルバム１２１０に未読画像数バッジ１２１６が表示される。
【０２０３】
また、未読画像数バッジ１２１６と共に、または未読画像数バッジ１２１６の代わりに、管理サーバ４の一時保存データベースに保存されている画像（写真シール作成装置１から管理サーバ４に画像データは送信されているが、画像提供サイト上で未保存の画像）の数を示すバッジ（未保存画像数バッジ）を付しても良い。例えば、マイページの「未整理プリ」アルバム１２１０や、所持画像数１２０３、システム設定ボタン１２５７上などに、上記未保存画像数バッジを付してもよい。もしくは、図１５にて説明したウェブページ１１０３のリンク画像１１０５上に未保存画像数バッジを付しても良い。さらには、タイムラインページ１５００において、画像保存ボタン１５５１上に未保存画像数バッジを付しても良い。そして、これらの未保存画像数バッジをユーザが選択した場合、未保存の画像を一覧表示してもよい。
【０２０４】
さらに、上記未保存の画像を一覧表示するときに、保存済みの画像も共に表示してもよい。この場合、上記未保存の画像がグレーアウトされた状態、または未保存である旨の警告が付された状態で、保存済みの画像と明確に区別できる状態で表示されることが望ましい。
【０２０５】
また、アルバムに対する評価の数を示すアルバム評価数１２２１を表示してもよい。本実施形態では、アルバム内の生成画像に対する評価の数の合計をアルバム評価数とする。すなわち、図１６（ａ）に示す例では、アルバム１２２０内の生成画像に対する評価の合計が５０である。ユーザがアルバム評価数１２２１を押下することにより、評価が付与された画像および当該画像に対して評価を付与したユーザの一覧が表示されてもよい。
【０２０６】
ページ切替ボタン１２５１〜１２５５は、他のページに切り替えるためのボタンである。ページ切替ボタン１２５１は、タイムラインページに遷移するためのボタンであり、ページ切替ボタン１２５２は、ニュースページに遷移するためのボタンであり、ページ切替ボタン１２５３は、アルバム作成ページに遷移するためのボタンであり、ページ切替ボタン１２５４は、プリモページに遷移するためのボタンであり、ページ切替ボタン１２５５は、マイページに遷移するためのボタンである。
【０２０７】
なお、プリモページは、読者モデル等の特定のユーザの所有する生成画像を公開するためのページであって、当該特定ユーザの公開専用のアルバムが掲載される。一般のユーザは、プリモページを閲覧することにより、特定のユーザの公開専用のアルバム内の生成画像を自由に閲覧することができる。また、ニュースページは、いいね／フォロー／コメントなどの状況、および、サイト運営側からの情報が掲載されるページである。
【０２０８】
アルバムメニューボタン１２５６は、アルバムメニューページに遷移するためのボタンである。また、システム設定ボタン１２５７は、各種設定を行うための設定ページに遷移するためのボタンである。
【０２０９】
（画像閲覧）
次に、マイページ１２００からユーザが所持する生成画像を閲覧する場合のウェブページの遷移について説明する。
【０２１０】
ユーザがマイページ１２００上のアルバム１２１０、１２２０、１２３０および１２４０の何れかを押下すると、図１６（ｂ）に示すような、アルバム詳細ページ１３００に遷移する。図１６（ｂ）は、「未整理プリ」アルバム１２１０のアルバム詳細ページの一例である。
【０２１１】
図１６（ｂ）に示すように、アルバム詳細ページ１３００は、サムネイル画像１３０１、プルダウンボタン１３０２、整理ボタン１３０３および戻るボタン１３０４を含む。
【０２１２】
サムネイル画像１３０１は、アルバム内の生成画像のサムネイル画像である。各サムネイル画像１３０１は、アルバム管理情報における画像の表示順序に従って順番に並べて表示される。アルバム詳細ページ１３００では、ユーザは、ページをスクロール等することにより、アルバム内の全ての生成画像のサムネイルを閲覧することができる。
【０２１３】
プルダウンボタン１３０２は、表示順序を切り替えるための切替ボタンを表示するためのプルダウンボタンである。ユーザがプルダウンボタン１３０２を押下することにより、アルバム内の生成画像の表示順序を切り替えるためのボタンが表示される。例えば、ユーザは、新着順、日付順、機種順等で生成画像の表示順序を切り替えることができる。なお、ユーザが生成画像の表示順序を切り替えると、画像管理部４１４は、アルバム管理情報における画像の表示順序を更新する。
【０２１４】
整理ボタン１３０３は、アルバム内の生成画像を整理するためのアルバム整理ページに遷移するためのボタンである。例えば、ユーザは、アルバム整理ページにおいて、アルバム内における生成画像の表示順序を変更したり、アルバム内の生成画像を削除したり、アルバム内の生成画像を他のアルバムへ移動させたりすることができる。戻るボタン１３０４は、ひとつ前のウェブページに戻るためのボタンである。
【０２１５】
ユーザがアルバム詳細ページ１３００上のサムネイル画像１３０１の何れかを押下すると、選択されたサムネイル画像１３０１に対応する生成画像を閲覧するための画像詳細ページに遷移する。画像詳細ページは、例えば、図１６（ｃ）に示すようなページである。
【０２１６】
画像詳細ページ１３５０は、生成画像１３５１、ユーザ画像１３５２およびユーザ名１３５３、保存日１３５４、撮影機種１３５５、評価ボタン１３６１、コメントボタン１３６２、設定ボタン（画像設定ボタン）１３６３、保存ボタン１３６４、評価数１３６５、コメント数１３６６、および、閉じるボタン１３６７を含む。
【０２１７】
生成画像１３５１は、画像提供サイトに保存されている生成画像そのものである。ユーザ画像１３５２は、生成画像１３５１を所持するユーザのユーザ画像である。ユーザ名１３５３は、生成画像１３５１を所持するユーザの名称である。保存日１３５４は、生成画像１３５１が画像提供サイトに保存された日時である。撮影機種１３５５は、生成画像１３５１を生成した写真シール作成装置１の機種である。
【０２１８】
評価ボタン１３６１は、ユーザが生成画像１３５１に評価を付与するためのボタンである。コメントボタン１３６２は、ユーザが生成画像１３５１にコメントを付与するためのボタンである。画像設定ボタン１３６３は、生成画像１３５１について種々の設定を行うための設定ページに遷移するためのボタンである。設定ページでは、ユーザは、例えば、生成画像１３５１を他のアルバムへ移動させたり、生成画像１３５１を削除したり、生成画像１３５１をＳＮＳに投稿したりすることができる。
【０２１９】
保存ボタン１３６４は、ユーザが自身の携帯端末６等の通信端末に生成画像１３５１をダウンロードするためのボタンである。評価数１３６５は、生成画像１３５１に付与されている評価の数である。コメント数１３６６は、生成画像１３５１に付与されているコメントの数である。なお、ユーザが評価数１３６５またはコメント数１３６６を押下することにより、画像に対して評価を付与したユーザの一覧または画像に対してコメントを付与したユーザおよび当該コメントの内容の一覧が表示されてもよい。閉じるボタン１３６７は、画像詳細ページ１３５０を閉じて、アルバム詳細ページ１３００に戻るためのボタンである。
【０２２０】
なお、画像詳細ページ１３５０における、生成画像１３５１、ユーザ画像１３５２およびユーザ名１３５３、保存日１３５４、撮影機種１３５５、評価ボタン１３６１、コメントボタン１３６２、画像設定ボタン１３６３、保存ボタン１３６４、評価数１３６５、コメント数１３６６、および、閉じるボタン１３６７の位置は図１６（ｃ）の例に限らず任意である。例えば、生成画像１３５１の形状に応じて、画像の属性情報（画像管理情報）の表示位置やボタンの表示位置を変更してもよい。例えば、縦長の生成画像１３５１と横長の生成画像１３５１とで表示位置を変更してもよい。
【０２２１】
次に、ユーザ自身が作成したアルバムのアルバム詳細ページの一例を図１６（ｄ）に基づいて説明する。図１６（ｄ）は、「高校めんばー」アルバム１２２０のアルバム詳細ページの一例である。
【０２２２】
図１６（ｄ）に示すように、アルバム詳細ページ１３７０は、アルバム名１３７１、カバー画像１３７２、説明文１３７３、サムネイル画像１３７４、編集ボタン１３８１および戻るボタン１３８２を含む。
【０２２３】
アルバム名１３７１は、アルバムの名称である。カバー画像１３７２は、アルバムのカバー画像である。説明文１３７３は、アルバムの説明文である。
【０２２４】
サムネイル画像１３７４は、アルバム内の生成画像のサムネイル画像である。各サムネイル画像１３７４は、アルバム管理情報における画像の表示順序に従って順番に並べて表示される。図１６（ｄ）に示すアルバム詳細ページ１３００と同様に、アルバム詳細ページ１３７０では、ユーザは、ページをスクロール等することにより、アルバム内の全ての生成画像のサムネイルを閲覧することができる。
【０２２５】
編集ボタン１３８１は、アルバムを編集するためのアルバム編集ページに遷移するためのボタンである。例えば、ユーザは、アルバム編集ページにおいて、アルバム内における生成画像の表示順序を変更したり、アルバムに新たな生成画像を追加したり、アルバム内の生成画像を削除したり、アルバム内の生成画像を他のアルバムへ移動させたりすることができる。また、ユーザは、アルバム編集ページにおいて、アルバムの名称、カバー画像、説明文を変更することができる。また、ユーザは、アルバム編集ページにおいて、アルバムの公開設定を変更したり、アルバムをＳＮＳでシェアしたりすることができる。戻るボタン１３８２は、ひとつ前のウェブページに戻るためのボタンである。
【０２２６】
ここで、本実施形態では、アルバム内の生成画像を他のアルバムへ移動した場合、移動元のアルバムから当該生成画像を削除し、移動先のアルバムに当該生成画像を追加する。ただし、これに限るものではなく、アルバム内の生成画像を他のアルバムへ移動した場合、移動先のアルバムに当該生成画像を追加すると共に、移動元のアルバムに当該生成画像を削除せず残してもよい。つまり、移動先のアルバムに重複する生成画像が作成されてもよい。
【０２２７】
また、本実施形態では、アルバム内の生成画像を削除した場合、画像データベース４２４から当該生成画像の画像データが削除される。そのため、ユーザによる削除操作が行われた場合、ユーザに対して、ポップアップ表示等により、生成画像が完全に消去される（後に生成画像を復元できない）旨を通知し、生成画像の削除の合意をとる。だたし、これに限るものではなく、「未整理プリ」アルバム以外の他のアルバム（ユーザが作成したアルバム）内の生成画像を削除した場合、当該他のアルバムから当該生成画像を削除するが、当該生成画像を「未整理プリ」アルバムに残してもよい（当該生成画像を「未整理プリ」アルバムに追加してもよい）。さらに、生成画像を移動させた場合に移動元にも当該生成画像を残す場合、何れかのアルバム内の当該生成画像を削除すると、当該生成画像を何れのアルバムから全て削除してもよい。このとき、当該生成画像を「未整理プリ」アルバムに残してもよい。また、何れかのアルバム内の当該生成画像を削除した場合、削除操作を行ったアルバム内の生成画像のみが削除されてもよい。
【０２２８】
（アルバムの作成）
次にアルバムを作成するためのアルバム作成ページについて説明する。
【０２２９】
ユーザがマイページ１２００等において、ページ切替ボタン１２５３を押下すると、図１７（ａ）に示すような、アルバム作成ページ１４００に遷移する。
【０２３０】
図１７（ａ）に示すように、アルバム作成ページ１４００は、公開設定ボタン１４０１、ＳＮＳボタン１４０２、タイトル入力ボックス１４０３、カバー画像入力ボックス１４０４、説明文入力ボックス１４０５および画像追加ボタン１４０６を含む。
【０２３１】
公開設定ボタン１４０１は、作成するアルバムの公開を設定するためのボタンである。ＳＮＳボタン１４０２は、作成するアルバムをＳＮＳでシェアするためのボタンである。タイトル入力ボックス１４０３は、作成するアルバムのアルバム名を入力するためのボックスである。カバー画像入力ボックス１４０４は、作成するアルバムのカバー画像を入力するためのボックスである。説明文入力ボックス１４０５は、作成するアルバムの説明文を入力するためのボックスである。画像追加ボタン１４０６は、作成するアルバムに含める生成画像を選択するためのボタンである。
【０２３２】
ユーザは、タイトル入力ボックス１４０３または説明文入力ボックス１４０５を押下することにより、テキストを入力することができる。また、ユーザは、カバー画像入力ボックス１４０４を押下することにより、カバー画像として用いる画像を選択したり、カバー画像用に画像を編集することができる。また、ユーザは、画像追加ボタン１４０６を押下することにより、既存のアルバム（「未整理プリ」アルバムまたはユーザが作成したアルバム）内の生成画像の中から、新たに作成するアルバムに追加する生成画像を選択することができる。
【０２３３】
なお、ユーザがカバー画像を選択するのではなく、管理サーバ４（画像管理部４１４）が自動的にカバー画像を決定してもよい。例えば、画像管理部４１４は、新たに作成するアルバムに追加する生成画像のうち、最も評価の高い生成画像をカバー画像として決定してもよい。また、画像管理部４１４は、新たに作成するアルバムに追加する生成画像として、ユーザが最初にまたは最後に選択した生成画像をカバー画像として決定してもよい。特に、「未整理プリ」アルバムのカバー画像は、画像管理部４１４が自動的に決定してもよい。この場合、例えば、画像管理部４１４は、「未整理プリ」アルバム内において撮影日時または保存日時が最新または最古の生成画像をカバー画像として決定してもよい。
【０２３４】
ユーザが新たに作成するアルバムのアルバム名、カバー画像、説明文、生成画像を入力・選択すると、図１７（ｂ）に示すように、アルバム作成ページ１４５０に入力または選択したアルバム名、カバー画像、説明文、生成画像が表示される。ユーザがアルバム作成に必要な情報を入力した後、アルバム作成ページ１４５０上の保存ボタン１４５１を押下することにより、入力または選択した内容で新たなアルバムが作成される。
【０２３５】
なお、新たに作成したアルバムの表示順序は「１」となる。つまり、新たに作成したアルバムの表示順序は、「未整理プリ」アルバム１２１０の次になる。また、新たに作成したアルバム内の生成画像の表示順序は、日付順（保存日時または撮影日時）であってもよいし、ユーザが生成画像を選択した順番であってもよい。
【０２３６】
また、ユーザが保存ボタン１４５１を押下すると、マイページ１２００に遷移する。そのため、ユーザは、マイページ１２００上でアルバムが新たに作成されたことを確認することができる。
【０２３７】
また、マイページ１２００上のアルバムメニューボタン１２５６からもアルバムを作成することができる。ユーザがアルバムメニューボタン１２５６を押下すると、図１７（ｃ）に示すような、アルバムメニューページ１４７０に遷移する。
【０２３８】
図１７（ｃ）に示すように、アルバムメニューページ１４７０は、アルバム作成ボタン１４７１、アルバム並び替えボタン１４７２、および、アルバム削除ボタン１４７３を含む。
【０２３９】
アルバム作成ボタン１４７１は、アルバム作成ページ１４００に遷移するためのボタンである。ユーザは、アルバム作成ボタン１４７１を押下することにより、上記と同様に、アルバムを作成することができる。アルバム並び替えボタン１４７２は、作成したアルバムのマイページ１２００上での表示順序（表示位置）を変更するためのアルバム表示順序変更ページに遷移するためのボタンである。ユーザは、アルバム表示順序変更ページにおいて、ドラッグ＆ドロップ等の操作により、作成したアルバムの表示順序を変更することができる。なお、ユーザがアルバムの表示順序を変更すると、画像管理部４１４は、アルバム管理情報におけるアルバムの表示順序を更新する。アルバム削除ボタン１４７３は、作成したアルバムを削除するためのアルバム削除ページに遷移するためのボタンである。ユーザは、アルバム削除ページにおいて、作成したアルバムを削除することができる。なお、削除したアルバム内の生成画像は、「未整理プリ」アルバムに移動する。
【０２４０】
（タイムラインページの詳細）
次にタイムラインページについて説明する。タイムラインページは、画像提供サイトのウェブページであって、ユーザ自身のアルバムおよび特定の他のユーザの公開アルバムが時系列で掲載されているウェブページである。具体的に、上記特定の他のユーザとは、ユーザがフォローしているユーザである。すなわち、ユーザは、他のユーザをフォローすることにより、タイムラインページにおいて、フォローしているユーザの所有する公開アルバムに含まれる生成画像を閲覧することができる。また、タイムラインページに掲載される画像は、写真シール作成装置１が生成した生成画像だけである。
【０２４１】
ユーザがマイページ１２００等において、ページ切替ボタン１２５１を押下すると、図１８に示すような、タイムラインページ１５００に遷移する。タイムラインページ１５００には、公開アルバムに含まれる１枚以上の生成画像と、当該公開アルバムに係る情報（例えば日時、ユーザアカウント名、キャプション、ならびに公開アルバムまたは公開アルバムに含まれる生成画像に対する評価およびコメント等のコミュニケーション行為など）とが、図１８に示すように、ひとまとめの記事（記事１５５０および１５６０）として掲載される。
【０２４２】
図１８に示すように、タイムラインページ１５００は、ユーザ画像１５１０、ユーザ名１５１１、更新時間１５１２、サムネイル画像１５２１〜１５２７、更新内容１５３０、アルバム評価数１５４０、画像保存ボタン１５５１およびユーザ検索ボタン１５５２を含む。１つのアルバムにつき、ユーザ画像１５１０、ユーザ名１５１１、更新時間１５１２、サムネイル画像１５２１〜１５２７、更新内容１５３０およびアルバム評価数１５４０が掲載される。
【０２４３】
ユーザ画像１５１０は、アルバムを所有するユーザのユーザ画像である。ユーザ名１５１１は、アルバムを所有するユーザの名称である。更新時間１５１２は、現在を基準とする、アルバムが更新（または作成）された時間（経過時間）を示す。なお、更新時間１５１２に、アルバムが更新（または作成）された時刻を掲載してもよい。更新内容１５３０は、アルバムの更新内容を示すものであり、図１８に示すように、例えば、アルバム名と追加した生成画像の枚数を掲載する。アルバム評価数１５４０は、アルバムのアルバム評価数である。なお、ユーザがアルバム評価数１５４０を押下することにより、評価が付与された画像および当該画像に対して評価を付与したユーザの一覧が表示されてもよい。
【０２４４】
サムネイル画像１５２１〜１５２７は、アルバム内の生成画像のサムネイル画像である。本実施形態では、アルバムのサムネイル画像が掲載される画像掲載領域１５２０内に最大７つのサムネイル画像が掲載される。なお、画像掲載領域１５２０内に掲載されるサムネイル画像の枚数は任意でよい。また、画像掲載領域１５２０内に掲載されるサムネイル画像の最大枚数は、写真シール作成装置１が１プレイで管理サーバ４に送信可能な生成画像の最大枚数と同値でもよい。また、アルバムの更新時以前の所定時間内に追加された生成画像（所定時間内に写真シール作成装置１から管理サーバ４に送信された生成画像）全てのサムネイル画像を画像掲載領域１５２０内に掲載してもよい。また、単に、アルバムへの追加順序（写真シール作成装置１から管理サーバ４への送信順序）に応じて、最新の７つの生成画像のサムネイル画像を画像掲載領域１５２０内に掲載してもよい。
【０２４５】
また、本実施形態では、サムネイル画像１５２１〜１５２７は、アルバム内の表示順序が第１番〜第７番の生成画像のサムネイル画像である。なお、画像掲載領域１５２０内に掲載されるサムネイル画像は、アルバム内の任意の生成画像のサムネイル画像であってよい。
【０２４６】
また、画像掲載領域１５２０内に複数のサムネイル画像が掲載される場合、大きさ（縮小率）が異なるサムネイル画像が掲載される。具体的には、図１８に示すように、本実施形態では、アルバム内の表示順序が第１番目の生成画像のサムネイル画像の大きさを、第２番目〜第７番目の生成画像のサムネイル画像より大きく掲載する。なお、本実施形態では、２種類の大きさ（縮小率）のサムネイル画像を画像掲載領域１５２０内に掲載しているが、これに限るものではなく、３種以上の大きさ（縮小率）のサムネイル画像を画像掲載領域１５２０内に掲載してもよい。また、画像掲載領域１５２０内に複数のサムネイル画像が掲載される場合、撮影日時または保存日時が古い生成画像のサムネイル画像を、他の生成画像のサムネイル画像に比べて小さく掲載してもよい。
【０２４７】
また、本実施形態では、画像掲載領域１５２０内に掲載するサムネイル画像の枚数に応じて、サムネイル画像の掲載位置を変更する。具体的には、図１９に示すように、画像掲載領域１５２０内に掲載するサムネイル画像の枚数（１枚〜７枚）によって、サムネイル画像の配置パターンが変わる。
【０２４８】
図１９（ａ）に示すように、画像掲載領域１５２０内に掲載するサムネイル画像の枚数が１枚の場合（アルバム内の生成画像の枚数が１枚の場合）、アルバム内の第１番目の生成画像のサムネイル画像１５２１を画像掲載領域１５２０の中央に配置する。このとき、図１９（ａ）に示すように、画像掲載領域１５２０の形状が横長の長方形であり、生成画像の形状が縦長の長方形の場合、サムネイル画像１５２１の縦の長さが画像掲載領域１５２０の縦の長さと一致するように、サムネイル画像１５２１の縮小率を設定する。すなわち、画像掲載領域１５２０内に収まるようにサムネイル画像１５２１を最大の大きさで掲載する。
【０２４９】
また、図１９（ｂ）に示すように、画像掲載領域１５２０内に掲載するサムネイル画像の枚数が２枚の場合（アルバム内の生成画像の枚数が２枚の場合）、アルバム内の第１番目の生成画像のサムネイル画像１５２１を左側に配置し、第２番目の生成画像のサムネイル画像１５２２をサムネイル画像１５２１の右側に配置し、サムネイル画像１５２１および１５２２を画像掲載領域１５２０内に中央寄せで配置する。このとき、サムネイル画像１５２１の大きさを、サムネイル画像１５２２より大きくする。
【０２５０】
また、図１９（ｃ）に示すように、画像掲載領域１５２０内に掲載するサムネイル画像の枚数が３枚の場合（アルバム内の生成画像の枚数が３枚の場合）、アルバム内の第１番目の生成画像のサムネイル画像１５２１を左側に配置し、第２番目および第３番目の生成画像のサムネイル画像１５２２および１５２３をサムネイル画像１５２１の右側に上下に並べて配置し、サムネイル画像１５２１〜１５２３を画像掲載領域１５２０内に中央寄せで配置する。このとき、サムネイル画像１５２１の大きさを、サムネイル画像１５２２および１５２３より大きくする。なお、第２番目および第３番目の生成画像のサムネイル画像１５２２および１５２３を左右に並べて配置してもよい。すなわち、サムネイル画像１５２１の右側にサムネイル画像１５２２を配置し、サムネイル画像１５２２の右側にサムネイル画像１５２３を配置してもよい。
【０２５１】
また、図１９（ｄ）に示すように、画像掲載領域１５２０内に掲載するサムネイル画像の枚数が４枚の場合（アルバム内の生成画像の枚数が４枚の場合）、アルバム内の第１番目の生成画像のサムネイル画像１５２１を左側に配置し、第２番目〜第４番目の生成画像のサムネイル画像１５２２〜１５２４をサムネイル画像１５２１の右側に上下に並べて配置し、サムネイル画像１５２１〜１５２４を画像掲載領域１５２０内に中央寄せで配置する。このとき、サムネイル画像１５２１の大きさを、サムネイル画像１５２２〜１５２４より大きくする。
【０２５２】
また、図１９（ｅ）に示すように、画像掲載領域１５２０内に掲載するサムネイル画像の枚数が５枚の場合（アルバム内の生成画像の枚数が５枚の場合）、アルバム内の第１番目の生成画像のサムネイル画像１５２１を左側に配置し、第２番目〜第４番目の生成画像のサムネイル画像１５２２〜１５２４をサムネイル画像１５２１の右側に上下に並べて配置し、さらに第５番目の生成画像のサムネイル画像１５２５をサムネイル画像１５２２〜１５２４の右側に配置し、サムネイル画像１５２１〜１５２５を画像掲載領域１５２０内に中央寄せで配置する。このとき、サムネイル画像１５２１の大きさを、サムネイル画像１５２２〜１５２５より大きくする。
【０２５３】
また、図１９（ｆ）に示すように、画像掲載領域１５２０内に掲載するサムネイル画像の枚数が６枚の場合（アルバム内の生成画像の枚数が６枚の場合）、アルバム内の第１番目の生成画像のサムネイル画像１５２１を左側に配置し、第２番目〜第４番目の生成画像のサムネイル画像１５２２〜１５２４をサムネイル画像１５２１の右側に上下に並べて配置し、さらに第５番目および第６番目の生成画像のサムネイル画像１５２５および１５２６をサムネイル画像１５２２〜１５２４の右側に上下に並べて配置し、サムネイル画像１５２１〜１５２６を画像掲載領域１５２０内に中央寄せで配置する。このとき、サムネイル画像１５２１の大きさを、サムネイル画像１５２２〜１５２６より大きくする。
【０２５４】
また、図１９（ｇ）に示すように、画像掲載領域１５２０内に掲載するサムネイル画像の枚数が７枚の場合（アルバム内の生成画像の枚数が７枚以上の場合）、アルバム内の第１番目の生成画像のサムネイル画像１５２１を左側に配置し、第２番目〜第４番目の生成画像のサムネイル画像１５２２〜１５２４をサムネイル画像１５２１の右側に上下に並べて配置し、さらに第５番目〜第７番目の生成画像のサムネイル画像１５２５〜１５２７をサムネイル画像１５２２〜１５２４の右側に上下に並べて配置し、サムネイル画像１５２１〜１５２７を画像掲載領域１５２０内に中央寄せで配置する。このとき、サムネイル画像１５２１の大きさを、サムネイル画像１５２２〜１５２７より大きくする。
【０２５５】
ここで、アルバム内の第１番目の生成画像の形状が横長の長方形の場合、図１９（ｈ）に示すように、第１番目の生成画像のサムネイル画像１５２１ａの横の長さが、図１９（ａ）〜（ｇ）に示すサムネイル画像１５２１が掲載されている領域の横の長さと一致するように、サムネイル画像の縮小率を設定してもよい。
【０２５６】
また、アルバム内の第１番目の生成画像の形状が横長の長方形の場合、各サムネイル画像の掲載位置を変更してもよい。例えば、図１９（ｉ）に示すように、画像掲載領域１５２０ａの形状を縦長の長方形に変更し、サムネイル画像１５２１ａの横の長さが画像掲載領域１５２０ａの横の長さと一致するように、サムネイル画像１５２１の縮小率を設定する。そして、アルバム内の第１番目の生成画像のサムネイル画像１５２１ａを上側に配置し、第２番目〜第４番目の生成画像のサムネイル画像１５２２〜１５２４をサムネイル画像１５２１ａの下側に左右に並べて配置し、さらに第５番目〜第７番目の生成画像のサムネイル画像１５２５〜１５２７をサムネイル画像１５２２〜１５２４の下側に左右に並べて配置し、サムネイル画像１５２１ａ〜１５２７を画像掲載領域１５２０ａ内に中央寄せで配置する。
【０２５７】
画像保存ボタン１５５１は、新たに画像提供サイトに生成画像を保存するための画像保存ページに遷移するためのボタンである。例えば、ユーザは、この画像保存ページにおいて、シールＩＤを入力することにより、シールＩＤの示す１または複数の生成画像のうち、１または複数の生成画像を新たに画像提供サイトに保存することができる。
【０２５８】
ユーザ検索ボタン１５５２は、他のユーザを検索するためのユーザ検索ページに遷移するためのボタンである。ユーザは、ユーザ検索ページにおいて、他のユーザを検索し、所望の他のユーザをフォローすることができる。
【０２５９】
また、タイムラインページにおいて、ユーザがサムネイル画像の掲載位置を変更した場合、掲載位置の変更に連動して、アルバム内の生成画像の表示順序が変更されてもよい。すなわち、画像管理部４１４は、ユーザがサムネイル画像の掲載位置を変更すると、アルバム管理情報における画像の表示順序を更新する。具体的には、ユーザがサムネイル画像１５２１とサムネイル画像１５２２との掲載位置を入れ替えた場合、画像管理部４１４は、サムネイル画像１５２２に対応する生成画像の表示順序を「１」にし、サムネイル画像１５２１に対応する生成画像の表示順序を「２」に設定してもよい。
【０２６０】
また、タイムラインページにおいて、ユーザが何れかのサムネイル画像を押下すると、選択されたサムネイル画像に対応する生成画像の画像詳細ページ１３５０に遷移する。
【０２６１】
また、タイムラインページに、ユーザが未読のアルバムがある場合、ページ切替ボタン１２５１上に未読のアルバムの個数（更新件数）を示す未読アルバム数バッジを表示してもよい。
【０２６２】
（タイムラインページ作成処理）
次に、管理サーバ４が実行するタイムラインページ作成処理について図２３に基づいて説明する。図２３は、管理サーバ４が実行するタイムラインページ作成処理の一例を示すフローチャートである。
【０２６３】
管理サーバ４の通信制御部４１１は、携帯端末６から、ユーザによるページ切替ボタン１２５１の押下を示す操作指示を受信すると、ウェブページ作成部４１３に受信した操作指示を出力し、タイムラインページの作成を指示する。
【０２６４】
ウェブページ作成部４１３は、通信制御部４１１から受け取った操作指示に基づいて、上記ユーザがフォローしている他のユーザを特定する（Ｓ３１）。具体的には、ウェブページ作成部４１３は、記憶部４０２の会員データベース４２２から上記ユーザのユーザ管理情報を読み出し、読み出したユーザ管理情報を参照して、上記ユーザがフォローしている他のユーザを特定する。
【０２６５】
ウェブページ作成部４１３は、タイムラインページに掲載する、上記ユーザのアルバムおよび特定した他のユーザの公開アルバムを特定する（Ｓ３２）。具体的には、ウェブページ作成部４１３は、記憶部４０２の画像データベース４２４から上記他のユーザのアルバム管理情報を読み出し、読み出したアルバム管理情報を参照して、上記他のユーザの所有するアルバムのうち、上記他のユーザが他者に公開しているアルバム（公開アルバム）を特定する。また、ウェブページ作成部４１３は、記憶部４０２の画像データベース４２４から上記ユーザのアルバム管理情報を読み出し、読み出したアルバム管理情報を参照して、上記ユーザの所有するアルバムを特定する。
【０２６６】
ウェブページ作成部４１３は、特定したアルバム毎に、タイムラインページに掲載する生成画像の枚数を特定する（Ｓ３４）。具体的には、ウェブページ作成部４１３は、アルバム毎に、アルバム管理情報を参照して、アルバム内の生成画像の枚数が所定枚数未満であるか否かを判定する。ウェブページ作成部４１３は、所定枚数未満であると判定したアルバムについては、タイムラインページに掲載する生成画像の枚数を、アルバム内の生成画像の枚数とする。つまり、アルバム内の生成画像全てをタイムラインページに掲載する。一方、ウェブページ作成部４１３は、所定枚数未満ではないと判定したアルバムについては、タイムラインページに掲載する生成画像の枚数を上記所定枚数とする。つまり、アルバム内の生成画像のうち、所定枚数の生成画像をタイムラインページに掲載する。このとき、ウェブページ作成部４１３は、アルバム内の表示順序が第１番目から第ｎ番目（ｎは上記所定枚数と同値）の生成画像をタイムラインページに掲載する。なお、アルバムに含まれる生成画像のうち、タイムラインページに掲載する生成画像を掲載画像（代表画像）と称し、掲載画像の枚数を掲載枚数と称する。すなわち、掲載画像は、アルバムに含まれる生成画像の全ての画像、または、アルバムに含まれる生成画像のうちの一部の生成画像である。
【０２６７】
ウェブページ作成部４１３は、特定したアルバム毎に、掲載画像の形状を特定する（Ｓ３５）。例えば、ウェブページ作成部４１３は、掲載画像の形状が縦長の長方形であるか、横長の長方形であるかを特定する。また、例えば、ウェブページ作成部４１３は、掲載画像の画角（掲載画像の形状が長方形であるか正方形であるか）を特定する。また、ウェブページ作成部４１３は、アルバム内の表示順序が第１番目の生成画像のみの形状を特定してもよい。また、ウェブページ作成部４１３は、掲載画像がアップ画像であるか全身画像であるかを判定して、掲載画像の形状を特定してもよい。ここで、アップ画像とは、画像の縦横比が１：１、１：１．２または１：１．１である画像である。また、全身画像とは、画像の縦横比が３：４または９：１６である画像である。
【０２６８】
ウェブページ作成部４１３は、特定したアルバム毎に、タイムラインページにおける掲載画像の配置パターンを特定する（Ｓ３６）。具体的には、ウェブページ作成部４１３は、ウェブページデータベース４２３から配置パターン情報を読み出し、読み出した配置パターン情報を参照して、特定した掲載枚数および特定した掲載画像の形状に対応する配置パターンを特定する。
【０２６９】
ウェブページ作成部４１３は、特定した配置パターンに基づいて、各アルバムの掲載画像を掲載したタイムラインページを作成する（Ｓ３７：ページ作成ステップ）。ウェブページ作成部４１３は、作成したタイムラインページを通信制御部４１１に出力する。通信制御部４１１は、受け取ったタイムラインページを通信部４０３を介して携帯端末６に送信する（Ｓ３８：送信ステップ）。
【０２７０】
なお、Ｓ３４において、ウェブページ作成部４１３は、写真シール作成装置１においてユーザが掲載画像として指定した生成画像を掲載画像として決定してもよい。この場合、写真シール作成装置１は、事後接客処理において、ユーザに生成画像の中から掲載画像を指定させる。そして、写真シール作成装置１は、掲載画像であるか否かを示す情報を生成画像に対応付けて、管理サーバ４に生成画像を送信する。ウェブページ作成部４１３は、アルバム内の生成画像に対応付けられている上記情報を参照して、ユーザが掲載画像として指定した生成画像を特定し、特定した生成画像を掲載画像として決定する。
【０２７１】
なお、Ｓ３６において、ウェブページ作成部４１３が自動的に掲載画像の配置パターンを特定しているが、これに限るものではない。例えば、ユーザが掲載画像の配置パターンを指定し、ウェブページ作成部４１３は、ユーザが指定した配置パターンで生成画像を配置してもよい。
【０２７２】
次に、タイムラインページにおいて、ユーザが掲載画像の位置を変更することにより、アルバム内の生成画像の表示順序を変更する処理について説明する。
【０２７３】
通信制御部４１１は、携帯端末６から、ユーザによる掲載画像の位置変更を示す操作指示を受信すると、画像管理部４１４に受信した操作指示を出力し、画像管理部４１４に表示順序の変更を指示する。
【０２７４】
画像管理部４１４は、通信制御部４１１から受け取った操作指示に基づいて、掲載位置を変更された掲載画像のアルバム内の表示順序を、変更後の掲載位置に対応する表示順序に設定し、当該アルバムのアルバム管理情報を更新する。
【０２７５】
画像管理部４１４は、更新したアルバム管理情報を画像データベース４２４に保存し、アルバム管理情報を更新したことをウェブページ作成部４１３に通知する。ウェブページ作成部４１３は、更新されたアルバム管理情報に基づいて、タイムラインページを作成する。
【０２７６】
〔実施形態２〕
本発明に係る管理サーバ４は、ウェブページ作成部４１３において、生成画像のうちの所定枚数の画像（代表画像）を掲載したページであって、上記生成画像を異なる大きさで掲載させたページであるタイムラインページを作成してもよい。そして、管理サーバ４は、通信制御部４１１および通信部４０３を介し、当該タイムラインページを携帯端末６に送信することにより、携帯端末６に上記タイムラインページを表示させてもよい。
【０２７７】
以下、本発明の第２実施形態について、図２４〜３２を参照して以下に説明する。なお、説明の便宜上、前記実施形態にて説明した部材と同じ機能を有する部材については、同じ符号を付記し、その説明を省略する。また、図面の記載の簡略化のため、複数の図面に繰り返し示される表示要素（ボタン等のオブジェクトやサムネイル画像など）で、各図面において必須でない表示要素については、部材番号の記載および当該部材の説明を省略する。
【０２７８】
本実施形態に係る画像提供サイトは、アルバム単位ではなく、生成画像１枚ずつに対し、当該生成画像を他のユーザ（フォロワー）に公開するか否かの設定が可能である点で、実施形態１に係る画像提供サイトと異なる。そして、本実施形態に係る画像提供サイトは、タイムラインページに、１枚以上の生成画像をアルバムに依存せず当該生成画像毎に公開し掲載する点において、実施形態１に係る画像提供サイトと異なる。すなわち、ユーザは、アルバム作成やアルバムへの生成画像の追加（移動）などの行為をしなくとも、他のユーザにタイムライン上で生成画像を閲覧させることができる。なお、以降の説明では、画像提供サイト（タイムラインページ）上で１枚以上の生成画像を他のユーザに向けて公開することを、「投稿する」と称する。本実施形態では、ユーザが投稿することによってタイムラインページに掲載される生成画像が、実施形態１における掲載画像（代表画像）に対応する。
【０２７９】
（タイムラインページ２５００）
まず始めに、本実施形態に係るタイムラインページについて、図２４を用いて詳述する。図２４の（ａ）は、本実施形態に係るタイムラインページ２５００を示す図である。タイムラインページ２５００は、ユーザ自身の投稿した生成画像と、当該ユーザがフォローしている他のユーザが投稿した生成画像とを共に（あるいはユーザ自身の生成画像と他のユーザの生成画像とを分けて）時系列に表示する。また、タイムラインページ２５００は、１回の投稿に含まれる１枚以上の生成画像と、当該投稿に係る情報（例えば投稿日時、投稿したユーザ、キャプション、ならびに投稿された生成画像に対する評価およびコメント等のコミュニケーション行為など）をひとまとめの記事として表示する。タイムラインページ２５００上のサムネイル２５０１〜２５０７のいずれかが選択されると、選択されたサムネイル（図２４の（ａ）の例ではサムネイル２５０１）に対応する生成画像の画像詳細ページ２３５０に遷移する。
【０２８０】
図２４の（ｂ）〜（ｄ）は、画像詳細ページ２３５０を示している。画像詳細ページ２３５０は、実施形態１に係る画像詳細ページ１３５０と同様の機能に加え、画像の表示領域上でスワイプ操作を行うことにより、当該領域に表示している画像を入れ替えることができる。より具体的には、例えば図２４の（ｂ）に示すように画像２５０１が表示されている状態で、ユーザが図２４の（ｃ）の白抜き矢印に示すようにスワイプ操作を行ったとする。この場合、図２４の（ａ）に表示されていた７枚の生成画像のサムネイル２５０１〜２５０７のうち、画像２５０１以外の６枚のうちいずれかが画像２５０１からスライドされて表示される。例えば図２４の（ｄ）の場合、画像２５０１に入れ替わり画像２５０２が画像詳細ページ２３５０に表示されるようになる。なお、図２４ではスワイプ操作は左右方向に行うこととしたが、上下または斜め方向へのスワイプに対応して、上述のような画像の入れ替え表示を行うこととしてもよい。
【０２８１】
なお、実施形態１に係るタイムラインページ１５００（図１８）において、サムネイル１５２１〜１５２７を選択することにより、画像詳細ページ２３５０に遷移することとしてもよい。また、この場合においても、図２４の（ｂ）〜（ｄ）に示したような、ユーザのスワイプ操作に対応した生成画像（アルバム中の画像）の入れ替え表示を行ってもよい。
【０２８２】
（マイページ２２００）
図２５は、本実施形態に係るマイページ２２００を示す図である。マイページ２２００には、実施形態１にて説明したマイページ１２００（図１６の（ａ））に含まれる表示要素に加え、図示の通り、アルバムタブ２２１０と、投稿タブ２２２０とが切替え可能に表示されている。また、マイページ２２００には、マイページ１２００におけるアルバム作成ページへ遷移するためのページ切替ボタン１２５３の代わりに（またはページ切替ボタン１２５３と共に）投稿ボタン２２５４が設けられている。投稿ボタン２２５４は、生成画像の投稿を行うためのボタンである。ユーザにより投稿ボタン２２５４が選択されると、投稿する生成画像を選択するための画像選択ページ３５００に遷移する。生成画像の投稿の流れについては、後で詳述する。
【０２８３】
図２５の（ａ）は、アルバムタブ２２１０を表示させた場合のマイページ２２００を示している。アルバムタブ２２１０には、図示の通り、アルバム１２１０（未整理画像が含まれるアルバム）と、ユーザが作成したアルバム２２３０とが表示される。ユーザは表示されているアルバムのいずれかを選択することにより、選択したアルバムのアルバム詳細ページ１３７０を表示させることができる。
【０２８４】
一方、図２５の（ｂ）は投稿タブ２２２０を表示させた場合のマイページ２２００を表示している。投稿タブ２２２０には、ユーザ自身の投稿した記事のみ、または後で詳述するタイムラインページ２５００にて提示される記事全てが時系列に沿って表示される。なお、投稿タブ２２２０内の情報は自動または手動でスクロールされてもよい。また、投稿タブ２２２０内に表示された記事（図２５の（ｂ）の場合は記事２５５０など）を選択すると、当該選択した記事を投稿後に編集するためのページに遷移してもよい。
【０２８５】
なお、生成画像を公開するか否かは、画像設定ページにて設定できるようにしてもよい。実施形態１にて説明した通り、画像詳細ページ１３５０において画像設定ボタン１３６３が選択されると、各生成画像についての画像設定ページに遷移する。画像設定ページには、生成画像が現在公開されているか、非公開かが記載されており、ユーザは当該記載を参照して生成画像を公開するか否かを判断し、必要に応じて生成画像の公開および非公開の設定を変更する。
【０２８６】
また、生成画像を投稿した後に、当該投稿した生成画像を非公開にした場合、上記投稿により掲載される記事に生成画像（生成画像のサムネイル）を表示せず、上記生成画像が非公開である旨を表示すればよい。また、投稿した生成画像を削除した場合は、上記投稿により掲載される記事に、表示すべき生成画像が削除されて存在していない旨を表示すればよい。
【０２８７】
（生成画像の投稿）
図２６は、生成画像の投稿に係る画面遷移の一例を示す図である。ユーザが生成画像の画像提供サイトへの保存を終え、生成画像を投稿する場合を一例にとり説明する。
図２６の（ａ）は生成画像の保存完了を示すページとして表示される保存画像確認ページ３４００を示している。保存画像確認ページ３４００には図示の通り、保存が完了した画像を整理するための画像整理ボタン３４０２が少なくとも配置されている。なお、保存画像確認ページ３４００には図示の通り、一部または全部の未整理画像のサムネイル３４０１や、未整理画像をさらに表示するための表示ボタン３４０３や、前の画面（この場合はマイページ２２００）に戻るための戻るボタン３４０４が配置されていてもよい。
【０２８８】
ここで、ユーザにより保存画像確認ページ３４００の画像整理ボタン３４０２が選択されると、画像選択ページ３５００にページが遷移する。なお、図２６の（ｂ）に示すようにタイムラインページ２５００に投稿ボタン３１６３を配置し、投稿ボタン３１６３が選択された場合に画像選択ページ３５００に画面遷移することとしてもよい。
【０２８９】
図２６の（ｃ）および（ｄ）は画像選択ページ３５００を示している。画像選択ページ３５００は図示の通り、画像提供サイトで保存済の生成画像のサムネイルであって、選択および未選択を切替え可能な状態で表示される生成画像のサムネイル３５１０と、タイムラインに投稿する生成画像を決定するための投稿画像決定ボタン３５０１とを少なくとも含んでいる。なお、上記サムネイル３５１０は生成画像の作成日時、保存日時、または当該生成画像が含まれるアルバムに応じてソートされて表示されてもよい。より好ましくは、「未整理プリ」アルバム１２１０に含まれる画像が表示される。また、ボタン３５０１〜３５０４は、画像のサムネイル３５１０を１枚以上選択した場合に選択可能となる（アクティブになる）ボタンであってよい。さらに、画像選択ページ３５００は、前の画面に戻るための戻るボタン３４０４を含んでいてもよい。
【０２９０】
画像選択ページ３５００で生成画像が選択されると、選択された生成画像が未選択のものと区別して表示される。例えば、図２６の（ｃ）に示す画像選択ページ３５００において画像３５１０Ａ〜Ｃが選択された場合、図２６の（ｄ）に示すように、選択された画像３５１０Ａ〜Ｃがグレーアウトされた状態およびチェックボックスに印が入った状態で表示される。ここで、投稿画像決定ボタン３５０１が選択された場合、投稿編集ページ３６００に遷移する。なお、画像選択ページ３５００において、選択する生成画像（すなわち、タイムラインに投稿する生成画像）の枚数に上限を設けてもよい。また、当該上限を超えて生成画像が選択された場合、投稿できる枚数の上限を超えていることを、ポップアップ画面などでユーザに警告してもよい。
【０２９１】
図２６の（ｅ）は、図２６（ｄ）にて投稿画像決定ボタン３５０１を押下すると表示される投稿編集ページ３６００を示している。投稿編集ページ３６００は図示の通り、画像選択ページ３５００にて選択された生成画像のサムネイル３６０１Ａ〜３６０１Ｃ（タイムラインに投稿しようとしている生成画像のサムネイル）と、投稿の説明文であるキャプションを入力するキャプション入力欄３６０４と、生成画像の投稿と共に当該生成画像を追加するアルバムを選択するためのプルダウンリストであるアルバム名リスト３６０５と、他のシステム（例えば、メッセージ、ＳＮＳ機能を有するシステムなど）との連携の有無（連携設定）を選択する連携設定スライドバー３６０６と、投稿を決定する投稿決定ボタン３６０８と、サムネイルのレイアウトを変更するためのレイアウト変更ボタン２６１０と、を含む。なお、投稿編集ページ３６００にも戻るボタン３４０４が含まれていても良い。投稿編集ページ３６００上では、投稿する生成画像のサムネイルのレイアウトの変更や、当該サムネイルの表示範囲の調整が可能である。サムネイルのレイアウト変更や表示範囲の変更については、後で詳述する。また、投稿編集ページ３６００において表示される生成画像のサムネイルは、いずれかを選択すると、投稿編集ページ３６００上、およびタイムラインへの投稿時に、選択されたサムネイルが大きく表示されるようにしてもよい。また、キャプション入力欄３６０４は投稿する生成画像毎に（すなわち、投稿する生成画像１枚ずつに対しキャプションが入力可能なように）設けられてもよい。
【０２９２】
なお、投稿する生成画像が１枚の場合は、大きく表示するサムネイルを選択させなくてよい。また、キャプション入力欄３６０４に対し、所定の文字数制限（例えば５００文字）を超えてキャプションが入力された場合、上記文字数制限を超過している分の文字を、制限内の文字と異なる表示様式（例えば赤色にするなど）で表示してもよい。また、キャプション入力欄３６０４はスクロール可能であってもよい。さらに、画像提供サイトのユーザアカウントのＩＤを示す特定の文字列を入力した場合は、当該ＩＤのユーザのマイページ２２００に対するリンクを、上記文字列に付加してもよい。また、アルバム名リスト３６０５には少なくとも公開アルバムが選択可能に表示されればよい。また、公開アルバムが存在しない（「未整理プリ」アルバム１２１０以外にアルバムが作成されていない、または作成されたアルバムが全て非公開アルバムである）場合は、アルバム名リストには、公開アルバムが無い旨を表示し、アルバムを選択不可能としてもよい。また、外部アプリへの意図しない連携を防ぐため、連携設定スライドバー３６０６は初期設定が連携無し（ＯＦＦ）であることが望ましい。
【０２９３】
ユーザは投稿編集ページ３６００においてキャプションを入力し、連携設定を選択する。また、生成画像の投稿と共にアルバムに当該生成画像を追加する場合は、ユーザはアルバム名リスト３６０５のプルダウンから、当該生成画像を追加するアルバムを選択する。このように、生成画像の投稿に係る入力および選択が終了し、ユーザにより投稿決定ボタン３６０８が選択されると、画像選択ページ３５００にて選択された画像（図２６の場合は画像３５１０Ａ〜Ｃ）が画像提供サイト上に投稿される。そして、管理サーバ４は、上記投稿が掲載されたタイムラインページ２５００を作成し、携帯端末６に送信する。携帯端末６の表示部６０５は上記タイムラインページ２５００を表示する。図２６の（ｇ）は、生成画像の投稿が反映されたタイムラインページ２５００を示している。図示の通り、ユーザＡの投稿が記事３３５０としてトップに表示されたタイムラインページ２５００が表示部６０５に表示される。
【０２９４】
なお、図２６の（ｅ）に示す投稿編集ページ３６００において外部アプリとの連携設定を「連携有り」と設定し、かつ、キャプション入力欄３６０４に上記外部アプリにおける１メッセージで送信可能な文字数を超えて文字を入力した状態で、投稿決定ボタン３６０８が選択された場合、投稿編集ページ３６００に、図２６の（ｆ）に示すような、外部システムにおけるメッセージのプレビュー画面をポップアップで重畳表示して、このまま投稿（および外部システムにおけるメッセージ投稿）を行うか否かを選択させてもよい。これにより、外部システムにおける文字数制限を超過していることをユーザに通知することができる。
【０２９５】
また、投稿編集ページ３６００を経ず、画像選択ページ３５００にて投稿を完了できるようなショートカット機能を備えていてもよい。そのとき、画像選択ページ３５００にて、ショートカットボタン（図示せず）を設けてもよい。当該ショートカットボタンが選択された場合、選択中の生成画像（図２６の場合は画像３５１０Ａ〜Ｃ）を所定の記事にて画像提供サイト上に投稿し、当該投稿を掲載したタイムラインページ２５００に遷移してもよい。つまりこの場合、連携設定およびキャプションは自動的に設定される、予め定められた値または文言であってよい。また自動設定された連携設定およびキャプションは、タイムライン２５００または投稿した生成画像の画像詳細ページ２３５０において、投稿後に変更できるようにすればよい。
【０２９６】
なお、投稿編集ページ３６００にて戻るボタン３４０４が選択された場合、投稿編集ページ３６００で入力されたキャプション、アルバム名リスト３６０５から選択されたアルバム名、および連携設定は保持されていてもよい。そして、投稿編集ページ３６００から戻った画像選択ページ３５００にて画像が選択し直され、再び投稿画像決定ボタン３５０１が選択された場合、上記保持されていたキャプション、アルバム名、および連携設定が表示された状態の投稿編集ページ３６００に遷移してもよい。
【０２９７】
なお、投稿編集時に特定の公開アルバムの選択がされなかった場合、投稿された生成画像は、投稿済の生成画像をまとめた投稿アルバムに自動的に追加されることとしてもよい。もしくは、上記投稿された生成画像はそれぞれ、公開状態に設定されるが「未整理プリ」アルバム１２１０、または上記投稿以前に上記生成画像が追加されていたアルバムに含まれたままであってもよい。
【０２９８】
例えば、上記投稿の際に、異なるアルバムからそれぞれ１枚以上の生成画像が投稿された場合、すなわち、図２６の（ｄ）に示す画像選択ページ３５００にて異なるアルバムに含まれる生成画像が選択された場合、図２６の（ｇ）に示すタイムラインページ２５００の記事３３５０には、それぞれのアルバムの掲載画像（代表画像）が掲載される。具体的には、例えば、アルバムＸから１枚、アルバムＹから１枚の生成画像が投稿された場合、タイムラインページには、記事３３５０としてアルバムＸの掲載画像１枚と、アルバムＹの掲載画像１枚とが掲載される。つまり、タイムラインページ２５００は、１回の投稿において、アルバムＸから選択された代表画像とアルバムＹから選択された代表画像とを１つのアルバムと見做して１つの記事３３５０内に収まるように（すなわちアルバム毎に）掲載したページである。
【０２９９】
なお、投稿アルバムに生成画像を追加する際の管理サーバ４の処理については、通常のアルバムへの画像の追加と同様の処理であってよい。また、投稿アルバムのデータ構造は通常のアルバムと同様であってもよいし、アルバム情報に当該アルバムが投稿アルバムである旨を記憶させておいてもよい（すなわち、アルバム情報にて投稿アルバムと通常のアルバムとを区別しておいてもよい）。また、投稿アルバムは、常に公開設定が公開状態である（非公開にできない）ようにしてもよい。また、アルバムに追加できる生成画像の枚数に上限がある場合で、投稿アルバムに含まれる生成画像が上記上限に達した場合、２つ目の投稿アルバムが自動的に作成され、その後生成画像が投稿された場合は、上記２つ目の投稿アルバムに、上記投稿された生成画像が追加されてもよい。
【０３００】
なお、画像選択ページ３５００は図示の通り、選択した生成画像を含むアルバムを新規作成する新規作成ボタン３５０２と、選択した生成画像を既存のアルバムに移動させるための移動ボタン３５０３と、選択した生成画像を削除するための削除ボタン３５０４と、を含んでいてもよい。
【０３０１】
（投稿編集ページの機能）
以下、図２７を用いて投稿編集ページにおけるサムネイルのレイアウト変更について説明する。図２７の（ａ）および（ｂ）は、本実施形態に係る投稿編集ページ３６００を示す図である。投稿編集ページ３６００はレイアウト変更ボタン２６１０を少なくとも含む。図２７の（ａ）に示す投稿編集ページ３６００においてレイアウト変更ボタン２６１０が選択されると、図２７の（ｂ）に示すように、サムネイルのレイアウトのテンプレート２６５１〜２６５３が投稿編集ページ３６００に選択可能に表示される。ここで、ユーザがレイアウトを１つ選択する（図２７の（ｂ）では２６５２）と、投稿編集ページ３６００上でサムネイル２６２１〜２６２７が、選択されたレイアウト２６５２の通りに配置される。なお、サムネイルのレイアウトは、図２７の（ｂ）に示したような矩形領域に限られない。例えば、サムネイルをハートや星型などの所定の形状に切り抜いたり、各サムネイルを重畳して表示させたりしてもよい。また、上記レイアウトは、写真シール作成装置１での写真シールのレイアウトと同じまたは類似のレイアウトであってもよい。また、例えば、画像表示領域２６２０内に、装飾が施されたフレームを配置し、当該フレームにサムネイルをはめ込み表示することにより、サムネイルがコラージュのように表示されるようにしてもよい。また、上記フレームおよびフレーム内の背景画像などに、写真シール作成装置１でのスタンプや背景画像と同じまたは類似の画像を用いてもよい。また、上記フレームさらには、特定のレイアウトやテンプレートを定めずに、規定の枚数のサムネイルを画像表示領域２６２０内に自由に配置できるようにしてもよい。
【０３０２】
なお、図２７の（ｂ）に示した、サムネイルのレイアウトの変更時に、各サムネイルの表示範囲の調整が可能であってもよい。図２８の（ａ）は、投稿編集ページ３６００において行われる、サムネイルの表示範囲の調整を示す図である。図２８の（ａ）の白抜き矢印が示すように、投稿編集ページ３６００上にてサムネイル２６２１〜２６２７のいずれかを選択して任意の方向にドラッグすることにより、選択したサムネイル（図２８の（ａ）ではサムネイル２６２１）の表示範囲を調節することができる。
【０３０３】
写真シール作成装置１においては、機種や撮影コースによって、生成画像のアスペクト比が異なる。より具体的には、生成画像には、ユーザの全身を撮影する全身撮影による縦長のもの、ユーザの上半身を撮影するアップ撮影による略正方形のもの、ユーザの幅方向をワイドに撮影するワイド撮影による横長のもの、などの種類がある。したがって、サムネイルの表示範囲を調節可能にすることにより、例えば全身撮影による縦長の生成画像と、略正方形またはワイド撮影による横長の生成画像とがサムネイルとして混在する場合などでも、それぞれのサムネイルのアスペクト比に合わせて、もしくは、当該サムネイルのうちユーザが見せたい範囲だけを、タイムライン上の記事で表示させることができる。
【０３０４】
なお、投稿編集ページ３６００では、サムネイルの表示範囲の調整の他に、サムネイルの拡大、縮小、回転、上下左右の反転なども可能であってよい。なお、上述したタイムライン１５００および２５００におけるサムネイルのレイアウト変更やサムネイルの表示範囲の変更は、記事毎に記憶される。
【０３０５】
また、図２８の（ａ）に示したサムネイルの表示範囲の調整は、タイムラインページ上で行われてもよい。図２８の（ｂ）は、タイムラインページ２５００上にてサムネイル２５２１〜２５２７の表示範囲を調整する場合の画面例を示す図である。図示の通り、タイムラインページ２５００上でいずれかのサムネイル画像を選択し、上下左右等にドラッグすることにより、サムネイルの表示範囲を調節することができる。また、タイムラインページ上でサムネイルのレイアウト変更が可能であってもよい。
【０３０６】
なお、上述のように投稿編集ページ３６００またはタイムラインページ２５００にて調整されたサムネイルの表示範囲は、ユーザアカウント毎に記憶されてもよい。具体的に言えば、図２８の（ｂ）に示す生成画像（サムネイル２６２１〜２６２７に対応する生成画像）を投稿したユーザがサムネイル２６２１の表示範囲を変更した場合、当該ユーザのタイムラインページ２５００では、表示範囲変更後のサムネイル２６２１が拡大される一方、上記ユーザをフォローしている他のユーザ（すなわち、上記ユーザのフォロワー）のタイムラインページ２５００では、サムネイル２６２１は、当該他のユーザが調整した（もしくは未調整の場合はデフォルトの）表示範囲で表示されることとしてもよい。
【０３０７】
もしくは、ユーザまたはユーザのフォロワーがタイムラインページ２５００に表示された各記事のサムネイルいずれかの表示範囲を変更した場合、当該変更が、表示範囲を変更したサムネイルを含む記事を表示する場合に常に適用されるようにしてもよい。例えば、図２８の（ｂ）に示す生成画像（サムネイル２６２１〜２６２７に対応する生成画像）を投稿したユーザがサムネイル２６２１の表示範囲を変更した場合、当該ユーザのタイムラインページ２５００でも、上記ユーザのフォロワーのタイムラインページ２５００でも、サムネイル２６２１は、上記ユーザが調整した後の表示範囲で表示されることとしてもよい。
【０３０８】
また、タイムラインページ２５００においてサムネイルのレイアウトや、各記事の表示様式は一括変更可能であってもよい。図２９は、タイムラインページにおける表示様式の変形例を示す図である。
【０３０９】
図２９の（ａ）は、図２４の（ａ）に示したタイムラインページ２５００であって、さらに、レイアウト変更ボタン２９００が配置されているタイムラインページ２５００を示している。ここで、レイアウト変更ボタン２９００が選択されると、各記事内のサムネイルの表示様式が、任意のレイアウトに一括変更される。例えば、具体的には、図２９の（ｂ）に示すように、ユーザのスワイプ操作（白抜き矢印）に応じてサムネイルを切替え表示する表示様式に一括で変更される。これにより、ユーザはタイムラインページ２５００において記事内のサムネイルの表示様式を、所望のレイアウトに一括変更することができる。なお、変更されるサムネイルの表示様式は、ユーザが予め設定しておいた好みのものでもよいし、自動的に決定されてもよい。
【０３１０】
また、レイアウト変更ボタン２９００が選択されたときに、記事自体のレイアウトを切替えることとしてもよい。例えば、図２９の（ｃ）および（ｄ）に示すように、１つの記事の縦横の大きさ（および、必要に応じてキャプション等の表示文字数やレイアウトなど）を変更してもよい。これにより、タイムラインページ２５００全体のレイアウトを一括して変更できるので、当該ページ全体に統一感を持たせることができる。なお、図２９に示した表示様式の変更は、ユーザアカウント毎に記憶されていてよい。つまり、ユーザは、タイムラインページ２５００を自分の好みの記事の配置で表示させ、閲覧することができる。
【０３１１】
また、レイアウト変更ボタン２９００が選択されたときに、上述した各記事内のサムネイルのレイアウトなど、サムネイル、キャプション、コメント等記事内の各種表示要素の表示様式と、記事自体のレイアウトとの少なくともいずれかを設定可能なポップアップ画面などを出現させ、任意の表示様式や記事自体のレイアウトをユーザに選択させてもよい。
【０３１２】
なお、図２８の（ｂ）に示したようなサムネイルの表示範囲の調整や、図２９に示したようなサムネイルのレイアウト変更は、実施形態１のタイムラインページ１５００（図１８）で実行可能としてもよい。
【０３１３】
〔変形例〕
（画像提供サイトの機能のアプリケーションでの実現）
上記各実施形態では、管理サーバ４のウェブページ作成部４１３が画像提供サイトのウェブページを作成して、携帯端末６は、管理サーバ４から当該ウェブページを表示するためのデータを受信して、当該ウェブページを表示している。しかしながら、これに限るものではない。例えば、携帯端末６の表示制御部（ページ作成手段、表示制御手段）６１３がページ作成機能を有し、管理サーバ４から受信したデータに基づいて、画像提供サイトのページを作成してもよい。
【０３１４】
具体的には、携帯端末６の通信制御部６１１が予め管理サーバ４から画像提供サイトのページの作成に必要なデータ（例えば、画像提供サイトのアプリケーション）を受信しておく。そして、携帯端末６の通信制御部６１１が管理サーバ４から生成画像および画像管理情報等のデータを受信し、携帯端末６の表示制御部６１３は、受信したデータに基づいて、画像提供サイトのページを作成する。そして、表示制御部６１３は、作成したページを表示部６０５に表示させる。
【０３１５】
（サムネイルのレイアウト）
また、実施形態１にて説明したタイムラインページ１５００の画像掲載領域１５２０内におけるサムネイル画像１５２０〜１５２６の大きさおよびレイアウト（各サムネイルの割付け）は、生成画像の枚数またはアスペクト比（画角）に応じて決定されてもよい。同様に、実施形態２にて説明した投稿編集ページ３６００およびタイムラインページ２５００においても、タイムラインページ１５００と同様に、表示するサムネイル画像の大きさおよびレイアウトを、生成画像の枚数またはアスペクト比に応じて決定してもよい。各サムネイルは、ユーザが生成画像を選択した順序、生成画像のアルバム内での表示順序、および生成画像のアスペクト比などに応じて上記レイアウトで自動的に配置される。
【０３１６】
なお、生成画像のアスペクト比に応じてサムネイルの大きさおよびレイアウトを決定する場合、画像データベース４２４に記憶されている、生成画像を撮影した写真シール作成装置１の機種、または生成画像を撮影した際の撮影コースから管理サーバ４にアスペクト比を特定させてもよいし、写真シール作成装置１から管理サーバ４に送信する生成画像の画像データに、当該生成画像のアスペクト比を示す情報を付しておき、管理サーバ４は上記画像データに付されたアスペクト比の情報を参照することとしてもよい。上述の通り、写真シール作成装置１では、機種や撮影コースによって、生成画像のアスペクト比が異なる場合がある。そのため、アスペクト比が異なる生成画像それぞれにおいて被写体（ユーザ）の向きも適切となるようにレイアウトが決定されるのが望ましい。
【０３１７】
さらに、上記レイアウトにおいて、１枚のサムネイルの表示領域に対するサムネイルの位置合わせについても、所定の法則に従って自動的に決定してもよい。図３０の（ａ）〜（ｅ）は、１枚のサムネイルの表示領域に対する、サムネイルの位置合わせの例を示す図である。
【０３１８】
サムネイルＡは、当該サムネイルの表示領域Ｂにサムネイル全体が収まるように、縮小して表示されてもよい（図３０の（ａ））。また、サムネイルＡは、当該サムネイルの中心Ａ１と表示領域Ｂの中心とが一致するように位置合わせされてもよい（図３０の（ｂ））。また、サムネイルＡは、当該サムネイルのピント位置Ａ２（すなわち、当該サムネイルに対応する生成画像のピント位置）と、表示領域Ｂの中心とが一致するように位置合わせされてもよい（図３０の（ｃ））。なお、上記ピント位置Ａ２は、生成画像が写真シール作成装置１で撮影された際のカメラのピントの位置であってもよいし、撮影後、例えば写真シール作成装置１での編集（落書き）や、画像提供サイト上（または外部システム）における生成画像の編集などで行われる画像処理後のピント位置であってもよい。具体的には、生成画像にぼかし処理を施すことで、撮影時のカメラのピント位置から他の位置（例えばユーザが際立たせたいと思う部分に相当する位置）へ移動させる場合が例示される。また、サムネイルＡは、当該サムネイルに含まれる人物の顔の中心位置（例えば鼻など）Ａ３（人物が複数存在する場合は、そのいずれかの人物の顔の中心（重心）位置）と、表示領域Ｂの中心とが一致するように位置合わせされてもよい（図３０の（ｄ））。さらに、サムネイルＡは、当該サムネイルのいずれか１辺と、表示領域Ｂのいずれか１辺とが重なるように位置合わせされてもよい（図３０の（ｅ））。
【０３１９】
なお、上述したようなレイアウトの基準（生成画像の枚数、アスペクト比など）、サムネイルの配置基準（選択された順序、表示順序、およびアスペクト比など）、およびサムネイルの位置合わせの基準（図３０の（ａ）〜（ｅ））の設定を、図２９のレイアウト変更ボタン２９００等、タイムライン上における所定のボタン等を押下することにより一括変更することができてもよい。もしくは、レイアウト変更ボタン２９００等を押下することにより出現するポップアップ画面等で、任意の基準（表示様式）を選択し一括設定することができるようにしてもよい。この場合さらに、上記変更された設定をユーザアカウント毎に記憶しておき、以降タイムラインページ２５００を表示する時は上記設定された各種基準にてサムネイルをレイアウト、配置、および位置合わせしてもよい。
【０３２０】
また、上記各実施形態に係るタイムラインページ１５００および２５００において、サムネイルを図３１の（ａ）または（ｂ）に示すように表示してもよい。図３１は、タイムラインページ２５００における表示様式の変形例を示す図である。
【０３２１】
画像提供サイトは、タイムラインページ１５００および２５００にて、図３１の（ａ）に示すように、サムネイルの一覧部分２５８０と、当該一覧から選択したサムネイル（図３１の（ａ）の場合はサムネイル２５８３）を拡大表示した拡大サムネイル２５９０とを表示することとしてもよい。なお、上記一覧のうち、いずれのサムネイルが選択されているか（いずれのサムネイルが拡大されているか）は、ユーザ毎に記憶される。例えば図３１の（ａ）の記事２８００が示す生成画像を投稿したユーザ（ユーザ名：たえこ）がサムネイル２５８３を選択した場合、当該ユーザのタイムラインページ２５００では、サムネイル２５８３が拡大される。一方、上記ユーザをフォローしている他のユーザ（すなわち、たえこのフォロワー）のタイムラインページ２５００では、当該他のユーザが選択したサムネイルが拡大されて表示される。例えば、上記他のユーザがサムネイル２５８１を選択していた場合は、サムネイル２５８１が拡大サムネイル２５９０として表示される。このように、ユーザは、タイムラインページ２５００および１５００のサムネイルを自分の好みに応じて表示させ、閲覧することができる。
【０３２２】
また、画像提供サイトは、タイムラインページ１５００および２５００にて、図３１の（ｂ）に示すように記事内にカレンダーを表示し、投稿された生成画像のサムネイル２５８５と、過去に投稿された生成画像のサムネイル２５８６〜２５８８とを、投稿日（または撮影日、保存日など）に応じた位置に表示してもよい。このように、過去に投稿された生成画像と、現在投稿された生成画像とを１記事内で、時系列で確認できるようにすることによって、ユーザの生成画像の投稿履歴が一目で認識できる。なお、現在投稿された生成画像のサムネイルは、過去に投稿された生成画像のサムネイルよりも大きなサイズで表示されることが望ましい。また、生成画像のアスペクト比は、写真シール作成装置１の機種や撮影コースによって異なるため、上記サムネイルは画像サイズを異ならせて（縦長の生成画像は縦長のサムネイルで、横長の生成画像は横長のサムネイルで、など）表示されることが望ましい。また、同日に複数の生成画像が投稿された場合には、複数の画像を順に切り替え表示してスライドショーとしてもよい。また、上記カレンダーの日付の欄のいずれかが選択された場合、当該選択された日付に投稿された生成画像のサムネイルを、所定のレイアウト（例えば図２６の（ｂ）や（ｇ）にて示したタイムラインページ２５００におけるサムネイルと同様のレイアウト）で表示させてもよい。そして、上記所定のレイアウトで表示されたサムネイルのいずれかがさらに選択された場合、当該選択されたサムネイルの画像詳細ページ２３５０（図２４の（ｂ）〜（ｄ））を表示させてもよい。
【０３２３】
また、アルバムや生成画像が投稿されたときに、当該投稿に係る生成画像の枚数が、タイムラインページ１５００および２５００の画像表示領域１５２０にて表示可能なサムネイルの枚数（例えば７枚）を超える場合は、画像表示領域１５２０に表示しているサムネイルに対応する生成画像以外に、何枚の画像がアルバムに含まれているか（サムネイルが非表示である生成画像が何枚あるか）を文字やアイコンなどで表示してもよい。
【０３２４】
なお、図３１の（ａ）または（ｂ）に示すようなレイアウトの表示様式は、ユーザがタイムラインページ１５００または２５００上で（例えばタイムラインページ２５００のレイアウト変更ボタン２９００を押下することにより表示されるポップアップ画面などで）一括で設定可能であっても構わない。そして、設定された表示様式をユーザアカウント毎に記憶しておき、以降当該ユーザのタイムラインページ２５００を表示する時は設定された表示様式にて表示してもよい。
【０３２５】
また、タイムラインページ１５００および２５００に表示しているサムネイル（特に、一番大きく表示しているサムネイル）の上に、キャプション、当該サムネイルに対応する生成画像に対するコメント、および評価件数などを重畳して表示させてもよい。このように、通常サムネイルとは別途表示枠をとって表示するキャプションやコメント、評価件数などをサムネイル上に重畳して表示させることによって、上記表示枠を無くし、サムネイルを可及的に大きく表示させることができるという利点がある。
【０３２６】
また、タイムラインページ１５００および２５００をはじめ、上記各実施形態に係る画像提供サイトにおいて、サムネイル画像を並べて表示する場合（例えばマイページ１２００および２２００、アルバム詳細ページ１３７０、投稿編集ページ３６００など）、表示する画像それぞれの間に隙間（余白）を持たせて配置した表示様式としてもよいし、隙間を空けずに各画像を並べた表示様式としてもよい。隙間を空けて各画像を配置した場合、画像提供サイト上において、各画像を、実際に写真シールを手帳に貼り付けたときのように見せることができる。換言すると、隙間を空けて各画像を配置することにより、画像提供サイトにおける画像表示を、現実に近い様式にすることができるという利点がある。一方、隙間を空けずに各画像を配置した場合、各画像を、より洗練されたデザイン性の高い状態で見せることができる。
【０３２７】
なお、縦方向および横方向のいずれかの隙間のみを残すこととしてもよい。例えばタイムラインページ１５００および２５００では、各記事が上下方向に時系列に表示され、縦方向へのスクロールによって表示される情報の内容が変化する。このような場合は、縦方向の隙間は空けたままとして、横方向の隙間を無くした表示様式としてもよい。
【０３２８】
なお、上述した表示様式は、ユーザがタイムラインページ１５００または２５００上で（例えばタイムラインページ２５００のレイアウト変更ボタン２９００を押下することにより表示されるポップアップ画面などで）一括で設定可能であっても構わない。そして、設定された表示様式をユーザアカウント毎に記憶しておき、以降当該ユーザのタイムラインページ２５００を表示する時は設定された表示様式にて表示してもよい。
【０３２９】
（タイムライン上でのユーザ間のコミュニケーション）
また、上記各実施形態に記載のタイムラインページ（タイムラインページ１５００および２５００）にて表示するサムネイル自体に所定の処理への指示を紐付け、当該サムネイルが選択された場合に、所定の処理を行ってもよい。換言すると、上記サムネイルそれぞれを、所定の処理を行わせるためのボタンとして扱ってもよい。
【０３３０】
例えば、タイムラインページ１５００および２５００のサムネイルのいずれかを選択した場合に、当該選択したサムネイルに対応する生成画像に対し、所定の（例えば「いいね」という）評価を付けることとしてもよい。このように、サムネイルを選択するだけで生成画像の評価を行えるようにすることで、ユーザが生成画像の評価をより気軽に行えるようになり、画像提供サイト上でのユーザ間のコミュニケーション（生成画像の相互評価）が活性化される。なお、この場合、サムネイルを選択したときに、生成画像を評価したことが分かり易いように、特定の効果または画像、文字などを表示して評価を行ったことを視覚的に示してもよい。例えば、サムネイルを選択した際に、当該サムネイル上にハートマークを所定時間表示させてもよい。
【０３３１】
もしくは、タイムラインページ１５００および２５００のサムネイルのいずれかを選択した場合に、当該選択したサムネイルに対応する生成画像についてのコメントを記入するコメント記入欄を表示し、コメント記入を促してもよい。なお、当該コメント記入欄はサムネイルに重畳して表示してもよいし、サムネイルを確認しながらコメントを記入できるよう、当該サムネイルと重畳しない位置に表示してもよい。さらには、タイムラインページ１５００および２５００のサムネイルのいずれかを選択した場合に、当該選択したサムネイルに対応する生成画像についてとれる行為（評価またはコメントの付与など）を選択可能なように表示してもよい。
【０３３２】
また、タイムラインページ１５００および２５００に表示しているサムネイル（特に、一番大きく表示しているサムネイル）の上に、投稿のキャプションや、当該サムネイルに対応する生成画像に対するコメントなどを重畳して表示させてもよい。なおこのとき、コメントは最新のものから所定の件数分表示することが望ましい。このように、コメントの履歴が確認できるように表示することにより、ユーザ間での会話（コメントのやりとり）を促進させることができる。
【０３３３】
また、タイムラインページ１５００および２５００において、サムネイルに当該サムネイルに対応する生成画像へのコメントを重畳して表示させる場合、当該コメントが、右から左など特定の方向へと流れるように動くようにしてもよい。このように、コメントが動きをもって表示されることにより、タイムラインが華やかになり、ユーザの興味をより喚起することができる。なお、各サムネイルをスライドショーやＧＩＦアニメのように連続的に（見かけ上動画になるように）表示しつつ、当該スライドショーに重畳して、コメントを上述のように動きをもって表示させてもよい。つまり、サムネイルも動画のように、コメントも動画のように見せてもよい。なお、このとき上記コメントは必ずしもサムネイルと関係のあるコメントでなくてもよいが、上記サムネイルいずれかに対応する生成画像に対するコメントを表示させるとより好ましい。
【０３３４】
また、タイムラインページ１５００および２５００の各記事内で、各生成画像または記事自体に付されたコメントを、メッセージアプリ（例えばＬＩＮＥ（登録商標）やＳｋｙｐｅ（登録商標））のような表示様式で表示してもよい。より具体的には、例えばコメントしたユーザのアイコンをコメントとともに付して表示したり、ユーザ自身の付したコメントと、他のユーザが付したコメントとを表示位置または色を異ならせたりなどして、対話形式に見えるように表示してもよい。このように、対話形式でコメントを表示することにより、ユーザ間での会話（コメントのやりとり）を促進させることができる。また、ユーザは自分のコメントと他人のコメントとを視覚的に区別しやすいので、上記会話を円滑に行うことができる。
【０３３５】
なお、このようなタイムラインページにおける生成画像のサムネイルと、キャプションおよびコメント等の各種表示要素との配置関係は、ユーザがタイムラインページ１５００または２５００上で（例えばタイムラインページ２５００のレイアウト変更ボタン２９００を押下することにより表示されるポップアップ画面などで）一括で設定可能であっても構わない。そして、設定された配置関係をユーザアカウント毎に記憶しておき、以降当該ユーザのタイムラインページ２５００を表示する時は設定された配置関係にて表示してもよい。
【０３３６】
（各種通知の設定）
また、上記各実施形態に係る画像提供サイト上で特定の行為が行われた場合、管理サーバ４はユーザの携帯端末６に当該行為があったことを通知してもよい。ここで、「特定の行為」とは、例えばユーザの投稿した生成画像およびアルバムに対する評価やコメントの付加、上記生成画像およびアルバムに対する「お気に入り（クリップ）」の付加、ユーザ自身（ユーザの画像提供サイト上でのアカウント）がフォローされたこと、ユーザがフォローしている（ユーザがフォロワーになっている）他のユーザの生成画像またはアルバムの投稿、ならびに画像提供サイトの運営者からのお知らせなどを示す。なお、「通知」とは携帯端末６へのプッシュ通知であっても、プル通知であってもよい。さらには、マイページ１２００または２２００から遷移するシステム設定ページにて、上記特定の行為それぞれについて、ユーザの携帯端末６に上記通知を行うか否かを設定できてもよい。
【０３３７】
また、画像提供サイト上で上記特定の行為が行われた場合、マイページ１２００および２２００においてページ切替ボタン１２５２を選択することにより遷移するニュースページにおいて、上記特定の行為が行われた旨を表示することにより、ユーザに上記特定の行為を通知してもよい。また、上記特定の行為がアルバムまたは生成画像の投稿や、アルバムまたは生成画像に対する評価やコメント、お気に入りの付加など、アルバムまたは生成画像に対する行為である場合、上記通知（ニュースページ上での表示）に付されたリンク（好ましくは、代表画像のサムネイルにリンクが付されているとよい）を選択することによって、上記行為の対象となった記事の詳細ページに遷移できるようにしてもよい。
【０３３８】
（ランキングページ）
また、画像提供サイトには、当該サイトの利用者それぞれのマイページ１２００または２２００に対するアクセス数のランキングや、各利用者の投稿したアルバムや生成画像などに対する評価（評価数または評価点数など）のランキングを表示するページを設けてもよい。このように、ユーザ間に順位づけを行うことにより、ユーザ同士で競争が行われるので、各ユーザに、アクセス数の増加のための工夫や、評価を集めるための工夫、すなわち画像提供サイトの利用の工夫を行わせる動機づけができる。ひいては、画像提供サイト上でのユーザ間のコミュニケーションを活性化させることができる。
【０３３９】
なお、上記ランキングは、投稿した生成画像など、ユーザではなく画像のランキングであってもよい。また、上記評価は「いいね」の数、お気に入り（クリップ）の数などであってもよい。また、上記ランキングの上位のユーザには、画像提供サイト上にて利益を受けることができるようにしたり、上記サイト外でプレゼントや、読者モデルへの昇格などの特典を与えたりしてもよい。このように、ランキング上位のユーザに特典を与えることにより、ユーザ同士の競争をさらに活性化することができる。したがって、画像提供サイト上でのユーザ間のコミュニケーションをさらに活性化させることができる。
【０３４０】
（生成画像の保存制限）
また、画像提供サイトは、生成画像を携帯端末６にダウンロードさせる場合に、ダウンロードを行うユーザが画像提供サイトに登録した連絡先（メールアドレスなど）と、ダウンロードしようとしている生成画像が写真シール作成装置１で作成されたときに入力された連絡先（すなわち、図１４のステップＳ７において写真シール作成装置１から送信され、管理サーバ４が受信するメールアドレス）とが相違した回数をカウントしていてもよい。そして、条件として上記相違した回数に所定の閾値を設け、当該条件に該当するユーザの、以降の生成画像のダウンロードを禁止してもよい。例えば、所定期間内（例えば３０日以内）に所定回数（例えば２１回以上）、上記連絡先が相違する生成画像のダウンロードが行われた場合、それ以上生成画像のダウンロードを禁止してもよい。なお、ダウンロードを禁止する前に、複数の条件として閾値を異ならせて設け、ユーザに対し少なくとも一回の警告を通知してもよい。このように、ゲームのプレイ時に、画像提供サイトに登録した連絡先、すなわちユーザの連絡先と異なる連絡先が入力されていた生成画像は、上記ユーザ自身がゲームをプレイして作成した画像でない可能性が高い。そのため、上述のようなダウンロードの禁止または警告を行うことにより、例えば１名のユーザのみが画像提供サイトの有料登録を行い、当該有料登録したユーザが、他人（画像の保存を当該ユーザに依頼した人）の生成画像を、自己の携帯端末６にダウンロードし、当該携帯端末６から上記他人の携帯端末へと送信すること（いわゆる「ダウンロードの代行」）を防ぐことができる。
【０３４１】
（マイページにおけるアルバム表示の変形例）
また、図２５に示したマイページ２２００において、アルバムタブ２２１０に表示するアルバムが、未整理画像のアルバム１２１０（未整理画像が便宜上格納されているとみなされるアルバム）のみである場合は、図２５に示したようにアルバム毎にカバー画像などを表示するのではなく、未整理画像を一覧表示してもよい。図２９は、マイページ２２００の変形例を示す図である。図２９に示すように、ユーザの作成したアルバム（生成画像の投稿の際に投稿アルバムを作成する場合は、投稿アルバムも）が無い場合のマイページ２２００の表示例を示している。図示の通り、未整理画像２２５１〜２２５４がアルバムタブ２２１０内に一覧表示され、ユーザはアルバムタブ内をスクロールさせることにより、全ての未整理画像を閲覧することができる。
【０３４２】
一方、ユーザのフォロワーが上述のマイページ２２００をフレンドページとして閲覧した場合、上記未整理画像は閲覧不可能としてもよいし、上記未整理画像のうち、公開されている未整理画像（例えば、未整理画像アルバム内に在るまま、タイムラインに投稿された画像など）のみを閲覧可能としてもよい。
【０３４３】
〔ソフトウェアによる実現例〕
写真シール作成装置１、管理サーバ４、および携帯端末６の制御ブロック（特に制御部２０１、制御部４０１および制御部６０１）は、集積回路（ＩＣチップ）等に形成された論理回路（ハードウェア）によって実現してもよいし、ＣＰＵ（Central Processing Unit）を用いてソフトウェアによって実現してもよい。
【０３４４】
後者の場合、写真シール作成装置１、管理サーバ４、および携帯端末６は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することによって、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークまたは放送波等）を介して上記コンピュータに供給されてもよい。なお、本発明は、上記プログラムが電子的な伝送によって具現化された、搬送波に埋め込まれたデータ信号の形態でも実現され得る。
【０３４５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０３４６】
本発明は、写真シール作成装置において生成された生成画像を管理サーバに保存する画像管理システムとして、幅広く利用することができる。
【符号の説明】
【０３４７】
１  写真シール作成装置
４  管理サーバ（管理装置）
６  携帯端末（通信端末）
１１  撮影ユニット
１２  編集部
１３  事後接客部
２１  撮影部
２０１  制御部
３１１  通信制御部
３１２  撮影制御部
３１３  編集制御部
３１４  印刷制御部
３１５  事後接客制御部
４０１  制御部
４０２  記憶部
４０３  通信部
４１１  通信制御部（送信手段、受信手段）
４１２  メール作成部
４１３  ウェブページ作成部（ページ作成手段）
４１４  画像管理部（設定手段）
４１５  ユーザ管理部
６０１  制御部
６０２  記憶部
６０３  通信部
６０４  入力部
６０５  表示部
６１１  通信制御部
６１２  入力制御部
６１３  表示制御部（ページ作成手段、表示制御手段）
【図１】
0006036953.tif 000002
【図２】
0006036953.tif 000003
【図３】
0006036953.tif 000004
【図４】
0006036953.tif 000005
【図５】
0006036953.tif 000006
【図６】
0006036953.tif 000007
【図７】
0006036953.tif 000008
【図８】
0006036953.tif 000009
【図９】
0006036953.tif 000010
【図１０】
0006036953.tif 000011
【図１１】
0006036953.tif 000012
【図１２】
0006036953.tif 000013
【図１３】
0006036953.tif 000014
【図１４】
0006036953.tif 000015
【図１５】
0006036953.tif 000016
【図１６】
0006036953.tif 000017
【図１７】
0006036953.tif 000018
【図１８】
0006036953.tif 000019
【図１９】
0006036953.tif 000020
【図２０】
0006036953.tif 000021
【図２１】
0006036953.tif 000022
【図２２】
0006036953.tif 000023
【図２３】
0006036953.tif 000024
【図２４】
0006036953.tif 000025
【図２５】
0006036953.tif 000026
【図２６】
0006036953.tif 000027
【図２７】
0006036953.tif 000028
【図２８】
0006036953.tif 000029
【図２９】
0006036953.tif 000030
【図３０】
0006036953.tif 000031
【図３１】
0006036953.tif 000032
【図３２】
0006036953.tif 000033